(57)【特許請求の範囲】
【請求項１】
人の指または指相当物が接触することにより所定の動作を行う静電容量方式のマルチタッチディスプレイを備えた情報処理装置に使用され、当該情報処理装置のマルチタッチディスプレイに接触して、当該情報処理装置に対して固有のイベントを発生させる情報処理装置用の駆動装置であって、
前記情報処理装置として、前記マルチタッチディスプレイにおける異なる座標位置に、前記指又は指相当物の接触を独立して検知自在な大きさの面積を有する接触領域を、所定の面積の設定領域の範囲内に、所定の配置態様で、当該情報処理装置が同時に検知可能な最大個数以上の所定の複数個となるよう区画して設定配置する機能を実現する接触領域設定手段と、前記接触領域設定手段により前記マルチタッチディスプレイに設定した全ての前記接触領域のうち、前記情報処理装置が同時に検知可能な最大個数以下の数の範囲内で、１個以上の前記接触領域を組合せて複数種類の接触領域の組合せパターンを設定し、当該接触領域の組合せパターンごとに、それぞれ、別箇の情報処理を前記情報処理装置に実行させるための個別のイベントを割り当てる機能を実現するイベント割当手段とを備える情報処理装置に使用され、
前記情報処理装置のマルチタッチディスプレイの前記設定領域と同一の外形で、かつ、同一の面積を有する連続面である対向面を有する電気的絶縁体からなるベース部と、
前記ベース部の対向面において、前記マルチタッチディスプレイの設定領域を当該対向面に整合させて配置したときに、前記マルチタッチディスプレイの所定の組合せパターンのそれぞれの接触領域に対向する位置に配設される導電体からなり、前記ベース部の対向面を前記マルチタッチディスプレイに当接または略当接させたときに前記マルチタッチディスプレイの対応する接触領域に、それぞれ、表面の全面が接触状態または略接触状態となる接触部と、
前記ベース部において前記接触部と離間した部位に配設され、前記接触部の表面の面積の合計面積よりも大きな表面積を有する電荷蓄積部と、
前記電荷蓄積部と前記接触部とを導通する導通部とを備え、
前記各接触部は、前記表面の面積が、前記マルチタッチディスプレイの対応する接触領域の面積の範囲内で、当該接触領域の最小検知面積以上の面積となるように形成され、
前記導通部は、自身による前記マルチタッチディスプレイの接触領域との静電容量結合によって当該接触領域を駆動しない態様で前記ベース部に設けられ、
前記電荷蓄積部は、その厚さ方向一側の表面の面積が、前記接触部が前記マルチタッチディスプレイの接触領域に接触状態または略接触状態となったときに、当該接触領域の駆動のための静電容量変化に必要な最低量の電荷を受容して蓄積できる面積である駆動用最小面積以上の面積となるよう、前記ベース部に配設されることを特徴とする情報処理装置用の駆動装置。
【請求項２】
前記ベース部は、前記情報処理装置の外形寸法以上の寸法の平板状をなし、その厚さ方向一側面を、前記情報処理装置のマルチタッチディスプレイ側の面を当接自在なベース表面とすると共に、前記ベース表面の一部に、前記マルチタッチディスプレイと対向する対向面を設けたものであり、かつ、前記接触部、前記電荷蓄積部及び前記導通部を全て前記ベース表面上に設けたものであり、
前記接触部は、前記ベース部の前記対向面の範囲内に面状となるよう配設され、
前記導通部は、前記ベース部の前記対向面の範囲内に面状となるよう配設されると共に、前記接触部が前記マルチタッチディスプレイの接触領域と接触状態または略接触状態となったときに、当該接触領域と対向する部分の面の面積が、前記接触領域の最小検知面積未満の面積となるように配設され、
前記電荷蓄積部は、前記ベース部のベース表面において前記対向面より外側の範囲に配設されることを特徴とする請求項１記載の情報処理装置用の駆動装置。
【請求項３】
前記ベース部は、前記情報処理装置の外形寸法以上の寸法の当接面を有し、当該当接面を、前記情報処理装置のマルチタッチディスプレイ側の面を当接自在な面とすると共に、前記当接面の一部に、前記マルチタッチディスプレイと対向する対向面を設けたものであり、
前記接触部は、前記ベース部の前記対向面の範囲内に面状となるよう配設され、
前記電荷蓄積部は、前記ベース部の内部に埋設して配設され、
前記導通部は、前記ベース部の内部において前記接触部と前記電荷蓄積部とを導通するよう配設されることを特徴とする請求項１記載の情報処理装置用の駆動装置。
【請求項４】
人の指または指相当物が接触することにより所定の動作を行う静電容量方式のマルチタッチディスプレイを備えた情報処理装置と、前記情報処理装置に使用され、当該情報処理装置のマルチタッチディスプレイに接触して、当該情報処理装置に対して固有のイベントを発生させる情報処理装置用の駆動装置とを備えるマルチタッチ機能を利用した情報処理システムであって、
前記情報処理装置は、
前記マルチタッチディスプレイにおける異なる座標位置に、前記指又は指相当物の接触を独立して検知自在な大きさの面積を有する接触領域を、所定の面積の設定領域の範囲内に、所定の配置態様で、当該情報処理装置が同時に検知可能な最大個数以上の所定の複数個となるよう区画して設定配置する機能を実現する接触領域設定手段と、
前記接触領域設定手段により前記マルチタッチディスプレイに設定した全ての前記接触領域のうち、前記情報処理装置が同時に検知可能な最大個数以下の数の範囲内で、１個以上の前記接触領域を組合せて複数種類の接触領域の組合せパターンを設定し、当該接触領域の組合せパターンごとに、それぞれ、別箇の情報処理を前記情報処理装置に実行させるための個別のイベントを割り当てる機能を実現するイベント割当手段とを備え、
前記駆動装置は、
前記情報処理装置のマルチタッチディスプレイの前記設定領域と同一の外形で、かつ、同一の面積を有する連続面である対向面を有する電気的絶縁体からなるベース部と、
前記ベース部の対向面において、前記マルチタッチディスプレイの設定領域を当該対向面に整合させて配置したときに、前記マルチタッチディスプレイの所定の組合せパターンのそれぞれの接触領域に対向する位置に配設される導電体からなり、前記ベース部の対向面を前記マルチタッチディスプレイに当接または略当接させたときに前記マルチタッチディスプレイの対応する接触領域に、それぞれ、表面の全面が接触状態または略接触状態となる接触部と、
前記ベース部において前記接触部と離間した部位に配設され、前記接触部の表面の面積の合計面積よりも大きな表面積を有する電荷蓄積部と、
前記電荷蓄積部と前記接触部とを導通する導通部とを備え、
前記駆動装置の各接触部は、前記表面の面積が、前記マルチタッチディスプレイの対応する接触領域の面積の範囲内で、当該接触領域の最小検知面積以上の面積となるように形成され、
前記駆動装置の導通部は、自身による前記マルチタッチディスプレイの接触領域との静電容量結合によって当該接触領域を駆動しない態様で前記ベース部に設けられ、
前記駆動装置の電荷蓄積部は、その厚さ方向一側の表面の面積が、前記接触部が前記マルチタッチディスプレイの接触領域に接触状態または略接触状態となったときに、当該接触領域の駆動のための静電容量変化に必要な最低量の電荷を受容して蓄積できる面積である駆動用最小面積以上の面積となるよう、前記ベース部に配設されることを特徴とする情報処理システム。
【発明の詳細な説明】
【技術分野】
【０００１】
本発明は、静電容量方式のマルチタッチディスプレイを備えた情報処理装置と対をなす別個独立（別体）の駆動装置を情報処理装置のマルチタッチディスプレイに接触させることで、情報処理装置に所望の情報処理を実行させるマルチタッチ機能を利用した情報処理システムに関し、特に、当該情報処理装置用の駆動装置、及び、当該情報処理装置及び駆動装置を備えた情報処理システムに関する。
【背景技術】
【０００２】
近年、使用者が指を触れることにより種々の処理を実行するタッチパネル式情報処理装置が開発され、特に、最近では、複数点を同時に指で接触可能として、より多彩な内容の処理を実行するマルチタッチディスプレイ（マルチタッチスクリーンまたはマルチタッチパネルとも呼ばれる）を備えた情報処理装置が普及してきている。かかるマルチタッチディスプレイ付き情報処理装置としては、典型的には、アップルインコーポレイテッド社の商品名ｉＰｈｏｎｅ（商標「ｉＰｈｏｎｅ」はアイホン株式会社の登録商標）がある。なお、マルチタッチディスプレイを備えた情報処理装置（マルチタッチディスプレイ付き情報処理装置）に関しては、特許文献１に開示がある（内容量が膨大なため具体的な開示内容について発明者は了知していない）。
【先行技術文献】
【特許文献】
【０００３】
【特許文献１】米国特許第７４７９９４９号公報
【発明の概要】
【発明が解決しようとする課題】
【０００４】
ここで、従来のタッチパネル式情報処理装置では、指またはタッチペンでディスプレイの所定箇所を直接触れること（いわゆる、シングルポインティング）により、情報処理装置に所定の処理（以下、「シングルポインティング動作」ということがある。）を実行させることが一般的である。一方、マルチタッチディスプレイ付き情報処理装置では、シングルポインティング動作に加えて、マルチタッチディスプレイの複数の位置に複数の指を同時に接触すること（以下、「マルチタッチ」ということがある。）により、或いは、かかる複数の指の接触状態を維持しながらそれらの指を任意の方向に移動すること（かかる動作は一般に「ジェスチャ」と呼ばれる。）により、接触点の数及び位置や移動軌跡に応じた種々の処理を実行することができるようになっている。
【０００５】
しかし、マルチタッチディスプレイの接触位置が複数指定されている場合において、特にマルチタッチディスプレイが小型の場合、それら複数の接触位置に使用者が複数の指を正確に接触することは面倒或いは困難な場合があり、複数の指の接触による迅速かつ確実な処理を行うという点では大きく改善する余地がある。また、マルチタッチディスプレイ付き情報処理装置を使用したマルチタッチによる情報処理内容としては、多種多彩なものを考えることができ、この意味からも、マルチタッチを現状と比べて簡単かつ確実に行える装置を提供することができれば、マルチタッチディスプレイ付き情報処理装置の有用性を大幅に向上することができると期待できる。更に、このような装置を提供することで、マルチタッチディスプレイ付き情報処理装置自体に新たな機能や用途を追加したり、従前の機能を大幅に改善したりすることも期待できる。
【０００６】
そこで、本発明は、静電容量方式のマルチタッチディスプレイを備えた情報処理装置に対して、当該情報処理装置と対をなす別個独立の駆動装置を組み合わせることで、マルチタッチディスプレイでのマルチタッチを簡単かつ確実に行うことができるようにし、小型のマルチタッチディスプレイの場合でも、所定の複数の接触位置に的確かつ複数同時に指を接触することができるようにすると共に、簡単な構成でマルチタッチディスプレイの所定の接触検知領域を静電的に確実に所望のマルチタッチ機能を実現できるマルチタッチ機能を利用した情報処理システム用の駆動装置、並びに、当該駆動装置及び情報処理装置からなる情報処理システムの提供を課題とする。
【課題を解決するための手段】
【０００７】
本発明に係る情報処理装置用の駆動装置は、人の指または指相当物が接触することにより所定の動作を行う静電容量方式のマルチタッチディスプレイを備えた情報処理装置に使用され、当該情報処理装置のマルチタッチディスプレイに接触して、当該情報処理装置に対して固有のイベントを発生させる情報処理装置用の駆動装置である。駆動装置は、前記情報処理装置として、前記マルチタッチディスプレイにおける異なる座標位置に、前記指又は指相当物の接触を独立して検知自在な大きさの面積を有する接触領域を、所定の面積の設定領域の範囲内に、所定の配置態様で、当該情報処理装置が同時に検知可能な最大個数以上の所定の複数個となるよう区画して設定配置する機能を実現する接触領域設定手段と、前記接触領域設定手段により前記マルチタッチディスプレイに設定した全ての前記接触領域のうち、前記情報処理装置が同時に検知可能な最大個数以下の数の範囲内で、１個以上の前記接触領域を組合せて複数種類の接触領域の組合せパターンを設定し、当該接触領域の組合せパターンごとに、それぞれ、別箇の情報処理を前記情報処理装置に実行させるための個別のイベントを割り当てる機能を実現するイベント割当手段とを備える情報処理装置に使用される。駆動装置は、前記情報処理装置のマルチタッチディスプレイの前記設定領域と同一の外形で、かつ、同一の面積を有する連続面である対向面を有する電気的絶縁体からなるベース部と、前記ベース部の対向面において、前記マルチタッチディスプレイの設定領域を当該対向面に整合させて配置したときに、前記マルチタッチディスプレイの所定の組合せパターンのそれぞれの接触領域に対向する位置に配設される導電体からなり、前記ベース部の対向面を前記マルチタッチディスプレイに当接または略当接させたときに前記マルチタッチディスプレイの対応する接触領域に、それぞれ、表面の全面が接触状態または略接触状態となる接触部と、前記ベース部において前記接触部と離間した部位に配設され、前記接触部の表面の面積の合計面積よりも大きな表面積を有する電荷蓄積部と、前記電荷蓄積部と前記接触部とを導通する導通部とを備える。前記各接触部は、前記表面の面積が、前記マルチタッチディスプレイの対応する接触領域の面積の範囲内で、当該接触領域の最小検知面積以上の面積となるように形成される。前記導通部は、自身（それ自体の静電容量）による前記マルチタッチディスプレイの接触領域との静電容量結合によって当該接触領域を駆動しない態様で前記ベース部に設けられる。前記電荷蓄積部は、その厚さ方向一側の表面の面積が、前記接触部が前記マルチタッチディスプレイの接触領域に接触状態または略接触状態となったときに、当該接触領域の駆動のための静電容量変化に必要な最低量の電荷を受容して蓄積できる面積である駆動用最小面積以上の面積となるよう、前記ベース部に配設される。
【０００８】
本発明に係る情報処理システムは、人の指または指相当物が接触することにより所定の動作を行う静電容量方式のマルチタッチディスプレイを備えた情報処理装置と、前記情報処理装置に使用され、当該情報処理装置のマルチタッチディスプレイに接触して、当該情報処理装置に対して固有のイベントを発生させる情報処理装置用の駆動装置とを備えるマルチタッチ機能を利用した情報処理システムである。前記情報処理装置は、前記マルチタッチディスプレイにおける異なる座標位置に、前記指又は指相当物の接触を独立して検知自在な大きさの面積を有する接触領域を、所定の面積の設定領域の範囲内に、所定の配置態様で、当該情報処理装置が同時に検知可能な最大個数以上の所定の複数個となるよう区画して設定配置する機能を実現する接触領域設定手段と、前記接触領域設定手段により前記マルチタッチディスプレイに設定した全ての前記接触領域のうち、前記情報処理装置が同時に検知可能な最大個数以下の数の範囲内で、１個以上の前記接触領域を組合せて複数種類の接触領域の組合せパターンを設定し、当該接触領域の組合せパターンごとに、それぞれ、別箇の情報処理を前記情報処理装置に実行させるための個別のイベントを割り当てる機能を実現するイベント割当手段とを備える。前記駆動装置は、前記情報処理装置のマルチタッチディスプレイの前記設定領域と同一の外形で、かつ、同一の面積を有する連続面である対向面を有する電気的絶縁体からなるベース部と、前記ベース部の対向面において、前記マルチタッチディスプレイの設定領域を当該対向面に整合させて配置したときに、前記マルチタッチディスプレイの所定の組合せパターンのそれぞれの接触領域に対向する位置に配設される導電体からなり、前記ベース部の対向面を前記マルチタッチディスプレイに当接または略当接させたときに前記マルチタッチディスプレイの対応する接触領域に、それぞれ、表面の全面が接触状態または略接触状態となる接触部と、前記ベース部において前記接触部と離間した部位に配設され、前記接触部の表面の面積の合計面積よりも大きな表面積を有する電荷蓄積部と、前記電荷蓄積部と前記接触部とを導通する導通部とを備える。前記駆動装置の各接触部は、前記表面の面積が、前記マルチタッチディスプレイの対応する接触領域の面積の範囲内で、当該接触領域の最小検知面積以上の面積となるように形成される。前記駆動装置の導通部は、自身（それ自体の静電容量）による前記マルチタッチディスプレイの接触領域との静電容量結合によって当該接触領域を駆動しない態様で前記ベース部に設けられる。前記駆動装置の電荷蓄積部は、その厚さ方向一側の表面の面積が、前記接触部が前記マルチタッチディスプレイの接触領域に接触状態または略接触状態となったときに、当該接触領域の駆動のための静電容量変化に必要な最低量の電荷を受容して蓄積できる面積である駆動用最小面積以上の面積となるよう、前記ベース部に配設される。
【発明の効果】
【０００９】
本発明に係る駆動装置及び情報処理システムによれば、静電容量方式のマルチタッチディスプレイを備えた情報処理装置に対して、当該情報処理装置と対をなす別個独立の駆動装置を組み合わせることで、マルチタッチディスプレイでのマルチタッチを簡単かつ確実に行うことができるようにし、小型のマルチタッチディスプレイの場合でも、所定の複数の接触位置に的確かつ複数同時に指を接触することができるようにすると共に、簡単な構成でマルチタッチディスプレイの所定の接触検知領域を静電的に確実に所望のマルチタッチ機能を実現できる。また、電荷蓄積部が、ボタンから接触部に流れる電荷を、当該ボタンを駆動するのに十分な量で受容及び蓄積し、或いは、電荷蓄積部自体が既に蓄積した電荷によって、接触部を介してボタン部分の静電容量を変化させることで、人体へと電荷を移動させる必要なく（即ち、露出部を必要とすることなく）ボタンを確実に駆動することができる。
【図面の簡単な説明】
【００１０】
【図１】図１は本発明の実施の形態１に係る情報処理システムの駆動装置の構造を断面的に見て概略的に示す側面図である。
【図２】図２は本発明の実施の形態１に係る情報処理システムの駆動装置を手により把持して情報処理装置のマルチタッチディスプレイに押し当てる（スタンプする）状態を示す側面図である。
【図３】図３は本発明の実施の形態１に係る情報処理システムの駆動装置の底面側（ベース部の対向面側）の接触部の配置例を示す底面図である。
【図４】図４は本発明の実施の形態１に係る情報処理システムで使用する情報処理装置（携帯機器としてのモバイル端末）を示し、（ａ）は情報処理装置のマルチタッチディスプレイの駆動装置スタンプ時の実際の表示画面を示す平面図、（ｂ）は情報処理装置のマルチタッチディスプレイの接触領域としてのボタンの配置例を示す平面図である。
【図５】図５は本発明の実施の形態１に係る情報処理システムを使用して情報処理装置に所定の情報処理（コンテンツ表示処理）を実行させる情報処理プログラムの処理手順の一例を示すフローチャートである。
【図６】図６は本発明の実施の形態１に係る情報処理プログラムによる情報処理装置の画面表示の一例を示し、（ａ）は図４（ａ）の表示状態の情報処理装置のマルチタッチディスプレイに駆動装置をスタンプすることによりマルチタッチディスプレイに所定のコンテンツを表示した場合を示す平面図、（ｂ）は図４（ａ）の状態の情報処理装置のマルチタッチディスプレイでリストアイコンを直接指により接触してマルチタッチディスプレイに対応するリスト画面を表示した場合を示す平面図である。
【図７】図７は図６（ａ）の表示状態の情報処理装置のマルチタッチディスプレイでリストアイコンを直接指により接触してマルチタッチディスプレイに対応するリスト画面（コンテンツ閲覧済みのアイコン表示付）を表示した場合を示す平面図である。
【図８】図８は本発明の実施の形態２に係る情報処理システムを概略的に示し、（ａ）は底面図、（ｂ）は側面図である。
【図９】図９は本発明の実施の形態２に係る情報処理システムを使用する場合の情報処理装置のマルチタッチディスプレイの初期画面（スタンプ用画面）を概略的に示す説明図である。
【図１０】図１０は本発明の実施の形態３に係る情報処理システムの使用例を概略的に示す説明図である。
【図１１】図１１は本発明の実施の形態３に係る情報処理システムを設置物の設置面（壁面等の垂直面）へ固定した状態を示し、（ａ）は情報処理装置を駆動装置に近接した状態を概略的に示す側面図、（ｂ）は情報処理装置のマルチタッチディスプレイを駆動装置の対向面（接触部側）に押し当てた状態を概略的に示す側面図である。
【図１２】図１２は本発明の実施の形態４に係る情報処理システムを使用した情報処理プログラム（コンテンツ表示プログラム）における個々の来場者の属性データ管理の一例を示す説明図である。
【図１３】図１３は本発明の実施の形態４に係る情報処理システムを使用した情報処理プログラム（コンテンツ表示プログラム）における全体の来場者の属性データ管理の一例を示す説明図である。
【図１４】図１４は本発明の実施の形態４に係る情報処理システムを使用した情報処理プログラム（コンテンツ表示プログラム）における全体の来場者の属性データ管理の別の例を示す説明図である。
【図１５】図１５は本発明の実施の形態４に係る情報処理システムを使用した情報処理プログラム（コンテンツ表示プログラム）における全体の来場者の属性データ管理の更に別の例を示す説明図である。
【図１６】図１６は本発明の実施の形態５に係る情報処理システムにおいて、自立設置型（スタンド型）の駆動装置の対向面（接触部側）に情報処理装置のマルチタッチディスプレイを押し当てた状態を概略的に示す側面図である。
【図１７】図１７は本発明の実施の形態６に係る情報処理システムにおいて、自立設置型（据え置き型）の駆動装置の対向面（接触部側）に情報処理装置のマルチタッチディスプレイを押し当てた状態を概略的に示す側面図である。
【図１８】図１８は本発明の実施の形態７に係るカバー式の情報処理システムの駆動装置を示し、（ａ）は駆動装置を情報処理装置の裏面側に装着した状態を側面から見て概略的に示す説明図、（ｂ）は駆動装置を情報処理装置の表面側に装着してマルチタッチディスプレイに押し当てる状態を側面から見て概略的に示す説明図である。
【図１９】図１９は本発明の実施の形態７に係るカバー式の情報処理システムの駆動装置を示す平面図（表面側から見た図）である。
【図２０】図２０は本発明の実施の形態７に係るカバー式の情報処理システムの駆動装置を示す底面図（裏面側から見た図）である。
【図２１】図２１は本発明の実施の形態７に係るカバー式の情報処理システムの駆動装置を情報処理装置の表面側に装着した状態を示す平面図である。
【図２２】図２２は本発明の実施の形態８に係る模擬ギター動作用の情報処理システムの駆動装置を示し、（ａ）は駆動装置を情報処理装置に装着した状態（駆動装置の装着部により情報処理装置のマルチタッチディスプレイのボタン部分を遮蔽した状態）を示す平面図、（ｂ）は（説明の便宜上）（ａ）の装着状態において駆動装置の装着部部分を省略して描画することにより情報処理装置のマルチタッチディスプレイのボタン部分を表した平面図である。
【図２３】図２３は本発明の実施の形態８に係る模擬ギター動作用の情報処理システムの駆動装置の使用例（ギターのコード表）をそれぞれ示す説明図であり、（ａ）はギターのＣコードを情報処理装置に演奏動作させる場合の（指による）押圧箇所、（ｂ）はギターのＡコードを情報処理装置に演奏動作させる場合の押圧箇所、（ｃ）はギターのＤコードを情報処理装置に演奏動作させる場合の押圧箇所、（ｄ）はギターのＧコードを情報処理装置に演奏動作させる場合の押圧箇所、（ｅ）はギターのＥコードを情報処理装置に演奏動作させる場合の押圧箇所、（ｆ）はギターのＦコードを情報処理装置に演奏動作させる場合の押圧箇所を示す。
【図２４】図２４は本発明の実施の形態８に係る模擬ギター動作用の情報処理システムの駆動装置により駆動される情報処理装置の表示画面において（説明の便宜上）ボタン配置領域を表示する（実際はボタンは非表示とされ他の画像が代わりに表示される）平面図である。
【図２５】図２５は本発明の実施の形態９に係るキーボード動作用の情報処理システムの駆動装置を情報処理装置に装着した状態を示す平面図である。
【図２６】図２６は本発明の実施の形態９に係るキーボード動作用の情報処理システムの駆動装置により駆動される情報処理装置の表示画面においてキー配置領域を表示する平面図である。
【図２７】図２７は本発明の実施の形態９に係るキーボード動作用の情報処理システムの駆動装置を情報処理装置に装着した状態を側面から見て概略的に示す説明図であり、一点差線で示す円内に要部（駆動装置の接触部のマルチタッチディスプレイへの接触部分）を拡大して示す。
【図２８】図２８は本発明の実施の形態１０に係るゲーム動作用の情報処理システムの駆動装置の第１の例を示し、（ａ）は駆動装置を使用してゲーム動作を実行する情報処理装置のコントロールキー及びコントロールボタンの配置例を示す平面図、（ｂ）は駆動装置を情報処理装置に装着した状態を示す平面図である。
【図２９】図２９は本発明の実施の形態１０に係るゲーム動作用の情報処理システムの駆動装置の第２の例を示し、（ａ）は駆動装置を使用してゲーム動作を実行する情報処理装置のコントロールキー及びコントロールボタンの配置例を示す平面図、（ｂ）は駆動装置を情報処理装置に装着した状態を示す平面図である。
【図３０】図３０は本発明の実施の形態１０に係るゲーム動作用の情報処理システムの駆動装置の第３の例を示し、（ａ）は駆動装置を使用してゲーム動作を実行する情報処理装置のコントロールキー及びコントロールボタンの配置例を示す平面図、（ｂ）は駆動装置を情報処理装置に装着した状態を示す平面図である。
【図３１】図３１は本発明の実施の形態１１に係る情報処理システムを構成する情報処理装置及び駆動装置を概略的に示す平面図である。
【図３２】図３２は本発明の実施の形態１１に係る情報処理システムの駆動装置を示し、（ａ）は駆動装置の導電部を遮蔽する遮蔽ステッカーを剥離した状態を示す内部構造図、（ｂ）は遮蔽ステッカーにより導電部を遮蔽した状態（使用状態）を示す斜視的な外観図である。
【図３３】図３３は本発明の実施の形態１１に係る情報処理システムの情報処理装置及び駆動装置の関係（主に相互の寸法関係）を示す説明図としての平面図である。
【図３４】図３４は本発明の実施の形態１２に係る情報処理システムの情報処理装置及び駆動装置の関係（主に相互の寸法関係）を示す説明図としての平面図である。
【図３５】図３５は本発明の実施の形態１３に係る情報処理システムを構成する情報処理装置及び駆動装置を概略的に示すと共に、駆動装置の遮蔽ステッカーを剥離して導電部等の内部構造を示す斜視図である。
【図３６】図３６は本発明の実施の形態１４に係る情報処理システムの駆動装置を示す平面図である。
【図３７】図３７は本発明の実施の形態１５に係る情報処理システムの駆動装置を接触部側からみて示す平面図である。
【図３８】図３８は本発明の実施の形態１５に係る情報処理システムの駆動装置の動作原理を概略的に説明する側面図的な説明図である。
【図３９】図３９は本発明の実施の形態１６に係る情報処理システムの駆動装置を示す平面図である。
【図４０】図４０は本発明の実施の形態１７に係る情報処理システムの駆動装置を情報処理装置と共に示す側面図である。
【図４１】図４１は本発明の実施の形態１８に係る情報処理システムの駆動装置を示す斜視図である。
【発明を実施するための形態】
【００１１】
以下、本発明を実施するための形態（以下、実施の形態という）を説明する。なお、各実施の形態を通じ、同一の部材、要素または部分には同一の符号を付して、その説明を省略する。
【００１２】
実施の形態１
本発明の実施の形態１に係る情報処理システムは、使用者である人の指が接触することにより所定の動作を行うマルチタッチディスプレイを備えた情報処理装置と、前記情報処理装置のマルチタッチディスプレイに接触して、当該情報処理装置に対して固有のイベントを発生させる駆動装置とを備える。また、駆動装置は、情報処理装置に実装乃至格納された所定のプログラムに応じた所定の情報処理やイベント等の動作を開始或いは駆動するためのものでる。なお、本発明の情報処理装置のマルチタッチディスプレイは、静電容量方式のマルチタッチセンサーを備えたものであり、具体的には、液晶ディスプレイ（ＬＣＤ）等のディスプレイにシート状の静電容量方式マルチタッチセンサーを積層したものである。この種のマルチタッチディスプレイは、マルチタッチパネルまたはマルチタッチスクリーンとも呼ばれ、また、単に、タッチディスプレイ、タッチパネルまたはタッチスクリーンとも呼ばれる。典型的には、この種のマルチタッチディスプレイは、いわゆる投影型静電容量方式タッチスクリーンセンサーを典型とする静電容量方式タッチスクリーンセンサーを備えている。この種のマルチタッチディスプレイは、人の指等の静電的な導電体乃至導通体との静電結合による静電容量の変化を検知して所定の動作を行うものであり、人の指以外にも、人の指に相当する（人の指と同様にマルチタッチディスプレイに接触または略接触状態で静電容量を変化させる）「指相当物」であれば、マルチタッチ動作を行うようになっている。したがって、本発明で使用する用語である「指相当物」には、タッチディスプレイに接触することで、指を直接的に接触した場合と同様のタッチイベント等の所定の処理乃至動作を開始乃至実行させうるすべての物を含む。即ち、本発明では、マルチタッチディスプレイとして、（投影型静電容量式等の）静電容量方式タッチパネルを使用するため、指相当物は、指と同様に、接触または近接によってタッチディスプレイの静電容量を変化させうる物体（静電的な導通体）であればよい。
【００１３】
詳細には、実施の形態１の情報処理システムの駆動装置２０は、マルチタッチディスプレイの接触領域が、当該マルチタッチディスプレイの所定領域内に離間配置された３個以上の複数の接触領域（ボタンやキー等）からなる情報処理装置（通常は、携帯通信機器・端末や携帯情報機器・端末）に適用される。図１〜図３に示すように、駆動装置２０は、ＰＣ（パーソナルコンピュータ）用のマウスと同様の全体形状となるブロック状をなし、ベース部２１，２４，２５及び駆動部２２，２３，２６を備えている。ベース部２１は、電気絶縁体からなると共に、マルチタッチディスプレイの表示領域の面形状（通常は矩形状）に対応する面形状の対向面（図１中の下面となる平坦面）を有している。即ち、ベース部２１，２４，２５の対向面は、通常は、平坦面、即ち、平坦状の当接面であって、マルチタッチディスプレイの表示領域に対向配置される面である。より詳細には、ベース部は、把持部２１、保持部２４及び絶縁部２５からなる。また、駆動部は、露出部２２、導通部２３及び接触部２６からなる。把持部２１は、駆動装置２０の上側の主要部分を占める略マウス形状の絶縁材料（例えば、導電性樹脂等を除く通常の合成樹脂やゴム等の絶縁材料）からなるブロック状をなす。また、保持部２４は、把持部２１の下面となる平坦面と同一外形の平板状をなし、当該平坦面に密接して接着等により接合固定される。保持部２４は、針状のものを穿刺自在な絶縁材料としての発泡合成樹脂材料や絶縁性有機質材料からなる。一方、保持部２４の下面の平坦面には、当該平坦面と同一外形の平板状をなす導通部２３が、当該平坦面に密接して接着等により接合固定される。導通部２３は、導電性材料（アルミニウム等の金属材料）からなる。また、導通部２３の下面の平坦面には、当該平坦面と同一外形の平板状をなす絶縁部２５が、当該平坦面に密接して接着等により接合固定される。絶縁部２５も、把持部２１と同様の絶縁材料からなる。これにより、把持部２１、保持部２４及び絶縁部２５からなるベース部は、人の手で（掌及び指を丸めて）把持自在な形状であって、情報処理装置のマルチタッチディスプレイに対応する（好ましくは、略同一外形の）ブロック形状をなしている。
【００１４】
駆動部の露出部２２は、ベース部の底面に設けられてマルチタッチディスプレイと同一外形とされた対向面以外の面に露出する所定面積の露出面を有する導電体からなる。露出部２２は、人の指先の面積以上の面積を有する露出面を有している。露出部２２の露出面は、好ましくは、使用者が手でベース部を把持したときに自然とその指（特に親指）が触れるベース部の側面の下側領域に設けるが、掌が触れるベース部の上面付近に設けることも可能である。接触部２６は、前記マルチタッチディスプレイにおいて指または指相当物の接触により固有のイベントを発生するよう所定の接触領域が複数配置されている場合において、前記ベース部の対向面においてマルチタッチディスプレイの複数の接触領域にそれぞれ対応する位置に配置される導電体からなる。詳細には、接触部２６は、所定外形（円形、矩形等）の平板状をなす頭部と、頭部の中心から直交して軸方向に延設されるよう頭部に一体形成された針状の穿刺部とからなる（いわゆる押しピンと同様の形状をなしている）。接触部２６の穿刺部は、絶縁部２５を貫通して導通部２３に穿刺され、まず、導通部２３と電気的に導通している。また、接触部２６の穿刺部は、更に保持部２４に穿刺され、保持部２４により抜止状態で定位置に保持されている。更に、穿刺部は、保持部２４をも貫通して導通部としても機能する露出部２２に穿刺され、露出部２２とも電気的に導通している。この場合、露出部２２は、図１に示すような半楕円形状の露出面を有すると共に、当該露出面からベース部の内部へと延設されるブロック状とする。或いは、露出部２２は、図１に示すような半楕円形状の金属箔乃至金属フィルムをベース部の側面の所定領域に接着等により貼付固定して形成してもよい。この場合、露出部２２の下縁部を導通部２３の側面を覆うように当該側面に密接して（導電性接着材等によって）貼付固定し、露出部２２から導通部２３への電気的導通を確保する必要があるが、接触部２６の穿刺部を露出部２２まで延設して穿刺する必要はない。一方、露出部２２を上記のように露出面からベース部の内部へと延設されるブロック状とした場合、露出部２２の下縁部を導通部２３の側面を覆うように当該側面に密接する必要はない。
【００１５】
接触部２６の頭部は、例えば、マルチタッチディスプレイにソフトウエア的に設定配置される接触領域としてのボタンやキーに対応して、当該ボタンやキーに密接自在な平坦面形状（例えば、円盤状、矩形板状等）を有している。また、接触部２６の頭部は、前記絶縁部２５に頭部に対応する円形凹部を形成する等によって完全に埋設され、頭部の露出面である表面（下面）が絶縁部２５の表面（下面）と面一になるように配置されている。なお、接触部２６の数は、マルチタッチディスプレイの接触領域と同一数の２以上（接触領域の全数）の場合もあり、接触領域の全数のうちの一部の複数（２以上の数）の場合もある。接触部２６は、前記ベース部２１の対向面をマルチタッチディスプレイに接近または当接させたときに、マルチタッチディスプレイの対応する接触領域にそれぞれ面的に接触状態または略接触状態（静電容量の変化を発生することができる距離まで接近した状態）となり、情報処理装置に対して当該接触領域に固有のイベントを発生させる。即ち、接触部２６は、マルチタッチディスプレイの接触領域を駆動可能な面積を有する。また、接触部２６は、同時駆動（マルチタッチ）する接触領域の数と同一数となる複数設けられる。例えば、マルチタッチで２個の接触領域を駆動する場合（２点タッチの場合）、２個の接触部２６が配設される。なお、接触部２６の数は、情報処理装置の能力により決定される最大マルチタッチ数（接触点数）に応じて決定され、例えば、最大接触点数が５点（５点タッチ）であれば５つの接触部２６を配設することができる。
【００１６】
実施の形態１の駆動装置２０は、例えば、図４（ｂ）に示すように、情報処理装置１０として、基部１１の主要面積を占めるマルチタッチディスプレイ１２を備えるものに適用することができる。この場合、マルチタッチディスプレイ１２は、４行３列の合計１２個の矩形状（角丸正方形状）のボタン１３を接触領域として設定配置している。また、マルチタッチディスプレイ１２は、１２個のボタン１３のうち、任意の３個の組を構成するボタン１３Ｘ（例えば、図４（ｂ）でハッチングをした組み合わせの３個のボタン１３Ｘ）を同時駆動（マルチタッチ）可能となっている。なお、図４（ｂ）中、ボタン１３Ｙは、３点タッチされるボタン１３Ｘ以外のボタンを示す。これに対応して、駆動装置２０は、図３に示すように、３列４行の合計１２個の接触部２６を、互いに離間した状態で配置できるよう、ベース部の対向面の面積及び寸法（及びこれに対応する絶縁部２５の面積及び寸法）を設定している。実施の形態１では、情報処理装置１０の３点タッチに対応して、駆動装置２０には３個の接触部２６が配設される。即ち、マルチタッチディスプレイ１２の任意の３個の組を構成するボタン１３Ｘの配置に対応する位置に、３個の接触部２６Ｘの円形の頭部が、絶縁部２５の下面から露出した状態で当該下面に密接配置されている。なお、図３では、駆動装置２０の絶縁部２５の下面には、３列４行の合計１２個の接触部２６が描画されているが、これは、情報処理装置１０の３点タッチの全ての組み合わせに対応するために必要な接触部２６の配置位置（合計１２個のボタン１３に対応する合計１２個の配置）を説明するための便宜上のものであり、実際は、（図４（ｂ）に示す３点タッチに対応する場合は）図３中にハッチングで示す３個の接触部２６Ｘのみが配設され、これら以外の接触部２６Ｙは、情報処理装置の他の３点タッチの組み合わせに対応するときに対応する３個のものが使用される（即ち、対応する３か所の位置で絶縁部２５に配設される）。
【００１７】
更に、実施の形態１の駆動装置２０は、前記複数（図の例では３個）の接触部２６の全てを完全に遮蔽する（覆う）遮蔽部２７をベース部の対向面に配設し、当該複数の接触部２６の全てを外部から視認不能としている。遮蔽部２７は、絶縁部２５の下面に対応する外形の非透明なシート材料乃至フィルム材料からなり、接着等により絶縁部２５の下面全体を覆うように貼付される。なお、遮蔽部２７は、絶縁材料からなる一方で、接触部２６の頭部と前記情報処理装置１０のマルチタッチディスプレイ１２のボタン１３との間での電気的導通（静電容量の変化）を妨げないような肉薄の薄層状とされている。これにより、絶縁部２５の下面と接触部２６の下面が面一となった状態で、薄層状の遮蔽部２７により完全に覆われて遮蔽され、駆動装置２０のマルチタッチディスプレイ１２への接触面乃至当接面は、遮蔽部２７の表面（下面）となる。そして、駆動装置２０の遮蔽部２７の下面をマルチタッチディスプレイ１２に密接した状態では、露出部２６は、遮蔽部２７の厚みを隔ててマルチタッチディスプレイ１２のボタン１３と近接し、ボタン１３の駆動作用の点では、密接した場合と同様の略密接状態になっているといえる（即ち、ボタン１３部分の静電容量を変化させることができる程度の近接状態となっている）。なお、遮蔽部２７を設けない場合は、接触部２６がマルチタッチディスプレイ１２のボタン１３に直接的に密接する。
【００１８】
ところで、実施の形態１では、露出部２２及び導通部２３と複数の接触部２６とにより駆動部が構成され、露出部２２及び導通部２３は、それぞれ、単一の構成（一つの露出部２２及び一つの導通部２３が複数の露出部２６と電気的に導通する構成）となっているが、これらの１以上を接触部２６ごとに設ける構成とすることも可能である。この場合、駆動部の数が、上記接触部２６の数と同一数となる。
【００１９】
このように、実施の形態１の駆動装置２０は、接触部２６の穿刺部を露出部２２まで延設せずに露出部２２と直接的に導通しない場合は、ベース部の内部に導通部２３を配設し、導通部２３により露出部２２と接触部２６とを間接的に導通することができるようにしているが、上記のとおり、接触部２６を露出部２２と直接的に導通する場合は導通部２３を省略することができる。また、接触部２６の頭部をベース部の対向面に絶縁部２５を介して配設し、頭部を穿刺部により導通部２３と電気的に導通するようにしているが、これ以外にも、プリント配線技術や通常の結線技術を利用して、プリント配線やリード線等の電気的接続部により、接触部２６の頭部を導通部２３や露出部２２と導通してもよい。また、コンダクティプペンや導電トレースペンなどで、前記接触部２６に対応する形状（ボタン１３が反応する面積の小円形等）の接触部をベース部の対向面に複数（ボタン１３の配置態様に対応する配置態様で）形成し、かつ、接触部間を導通する細線状のライン部を形成して、複数の接触部を一つのライン上（一つの導線上）に配置し、更に、そのライン上の一端側の接触部をライン部により前記露出部と導通して、これにより接触部と露出部とを電気的に接続する回路を作成しても上記と同様の作用効果が得られる。その場合、図１の導通部２３、保持部２４、絶縁部２５及び接触部２６は必要としない。この場合、接触部を導通するライン部は、マルチタッチディスプレイ１２が（導電体が接触したときに）反応する範囲よりも小さい幅（細さ）に形成する。こうすれば、マルチタッチディスプレイ１２がライン部に反応して誤動作することはない。更に、接触部２６は、マルチタッチディスプレイ１２の接触領域１３の全数より少ない複数となるよう当該接触領域の中から選択した（即ち、接触領域が３個以上の場合は２個以上となるよう選択した）複数の接触領域に対応する位置に配置されるものであれば、上記以外の任意の数及び配置とすることができる。
【００２０】
実施の形態１の駆動装置２０は、図２に示すように、使用者が手Ｈでベース部の把持部２１を把持して、ベース部の対向面を覆う遮蔽部２７をマルチタッチディスプレイ１２に接近して当接させると、接触部２６の頭部がマルチタッチディスプレイ１２の対応する接触領域１３にそれぞれ面的に接触状態となり、前記複数の接触部２６がマルチタッチディスプレイ１２の予め選択された複数の接触領域としてのボタン１３に（同時に、あるいは、若干のタイムラグを置いて）接触する。このとき、使用者が、駆動装置２０を把持したときから（少なくとも、駆動装置２０をマルチタッチディスプレイ１２に押し当てたときに）、その指を駆動部の露出部２２に載置して触れることにより、使用者の指とマルチタッチディスプレイ１２の前記選択した複数のボタン１３とが、露出部２２及び／または導通部２３を介して電気的に接続（電気的に導通）する。これにより、使用者の指と接触部２６が接触するボタン１３との間で電荷が移動して、ボタン１３の静電容量が変化し、ボタン１３の組み合わせに対応して予め設定された固有の処理を情報処理装置１０が実行する。
【００２１】
このとき、駆動装置２０をマルチタッチディスプレイ１２の正確な位置に位置決めできるよう、ベース部（特に把持部２１）の前側には、突起部２８が一体的に設けられ、突起部２８の下面から位置決め突起２８ａが下方に突出している。位置決め突起２８ａは、図２に示すように、情報処理装置１０の基部１１の上端部中央に設けられた横長スロット状の長孔（例えば、スピーカー用の溝）１１ａに対応する（好ましくは同一の）外形を有している。そして、位置決め突起２８ａを情報処理装置１０の長孔１１ａに密に嵌合して係止することにより、駆動装置２０をマルチタッチディスプレイの正確な位置に自動的に位置決めできるようになっている。この突起部２８は省略してもよい（特に、カバー付の情報処理装置の場合、突起部２８が邪魔になる場合があるため、この場合は省略することが好ましい）。また、前記露出部２２は、デザイン的に外部から視認することが望ましくない場合、前記遮蔽部２７と同様の薄い素材（通電を妨げない素材）で完全に覆うことが可能である。なお、図４に示す情報処理装置１０は、リセットボタン１１ｂを備えている。
【００２２】
次に、実施の形態１の駆動装置２０を使用して、マルチタッチディスプレイ１２を備えたコンピュータとしての情報処理装置１０に所定の情報処理手順を実行させる情報処理プログラムについて説明する。この情報処理プログラムは、接触領域配置手順と、表示遮蔽手順と、コンテンツ表示手順とを備えるコンテンツ表示用の情報処理をコンピュータに実行させるプログラムとして実施することができる。この場合、接触領域配置手順は、情報処理装置１０のマルチタッチディスプレイ１２において、ソフトウエア的に設けられる多層構造のレイヤーのうちの第１のレイヤー（例えば、最上位層のレイヤー）の複数の所定領域に、それぞれ、前記接触領域としてのボタンやキー等を設定して互いに離間するよう複数配置する処理を情報処理装置１０に実行させる。接触領域配置手順は、例えば、図４（ｂ）に示すマルチタッチディスプレイ１２の配置態様（４行３列）で角丸矩形のボタン１３を縦横に設定配置するよう、情報処理装置１０を動作させる。ところで、ボタン１３を配置するレイヤーは、上記のように第１レイヤーとする（ボタンを配置するレイヤーをコンテンツ画像を表示するレイヤーより上位階層として透明化する）以外にも、ボタンを配置するレイヤーより上位階層のレイヤーにコンテンツ画像を表示して、このレイヤーのコンテンツ画像によりボタンを隠すようにすることもできる。なお、情報処理装置として上記ｉＰｈｏｎｅを使用した場合、ボタンの上に違うＶｉｅｗをのせるとボタンが反応しなくなるが、同じＶｉｅｗ上であれば、ボタンの上にｉｍａｇｅＶｉｅｗをのせてもボタンは反応する。ここで、マルチタッチディスプレイ１２の接触領域を構成するボタン等（いわゆるコントロールの一種）は、一般的な情報処理装置に対応するプログラミング言語や開発ツールを使用して作成し、所望のタイミングでマルチタッチディスプレイ１２の所定位置に所定の配置態様で表示するようプログラミングすることができる。例えば、上記ｉＰｈｏｎｅの場合、Ｏｂｊｅｃｔｉｖｅ−Ｃ等のプログラミング言語によりＸｃｏｄｅ（アップルインコーポレイテッドの商標）等の開発ツールを使用して（例えば、ＵＩＬａｂｅｌ等の関数を使用して）所望のサイズのボタンを所望の位置に所望の区画及び面積で作成し、所望のタイミングで表示することができる。
【００２３】
また、接触領域非表示手順は、マルチタッチディスプレイ１２の第１のレイヤーに配置した前記複数の接触領域の全ての画面表示を外部から完全に遮蔽する処理、または、完全に透明化する処理等、接触領域の全てを外部から完全に視認不能とする処理を情報処理装置１０に実行させる。例えば、接触領域非表示手順は、図４（ａ）に示すように、マルチタッチディスプレイ１２の全てのボタン１３を非表示とする一方、マルチタッチディスプレイ１２に駆動装置の押し当て（即ち、スタンプ乃至押印動作）を促す「（丸枠で囲んだ）印」のイメージ１４を表示する。これにより、駆動装置２０を押し当てる前の情報処理装置１０のマルチタッチディスプレイ１２には、イメージ１４のみが表示され、ボタン１３が外部から視認されることはない。このとき、接触領域非表示手順は、例えば、マルチタッチディスプレイ１２のボタン１３を描画する第１のレイヤーとは別個の階層のレイヤー（第２のレイヤー）に前記イメージ１４を描画するようにし、第１のレイヤーをマルチタッチディスプレイ１２の表層側である上位の階層に配置すると共に、第２のレイヤーを第１のレイヤーより下位のレイヤー（裏層側のレイヤー）に配置し、第１のレイヤーの表示プロパティの透明度を１００％としてその表示を全て透明化することで、結果的に、第１のレイヤー上のボタン１３を透明化して、その下側のイメージ１４のみを外部から視認できるようにする処理とすることができる。なお、前記イメージ１４は、上記「印」の文字に限らず、前記接触領域としてのボタン１３の配置表示とは別個の所定の画像を表示するものであればよく、例えば、単色の画面をマルチタッチディスプレイ１２の全域に表示したり、文字列を表示したり、任意の模様や記号等を表示したりすることも可能である。
【００２４】
更に、コンテンツ表示手順は、前記マルチタッチディスプレイに配置した複数の接触領域のうち前記選択された複数の接触領域に、前記駆動部の複数の接触部が（通常は同時に或いはほぼ同時に）接触したときに、所定の記憶領域に記憶した複数のコンテンツから、前記選択された複数の接触領域がオンしたときに呼び出されるよう割り当てられた所定のコンテンツを呼び出し、前記マルチタッチディスプレイ１２に表示する。このとき、例えば、マルチタッチディスプレイ１２のボタン１３を配置するレイヤーと異なるレイヤー（ボタン１３を第１のレイヤーに配置する場合は、第１のレイヤーより表層側の階層（上位の階層）である第２のレイヤー等）にコンテンツを表示することができるが、同一のレイヤーに表示するようにしてもよい。
【００２５】
上記情報処理プログラムによる情報処理手順の一例を図５のフローチャート及び図６〜図７の画面図に従って説明する。
まず、情報処理プログラムは、図５に示すように、ＳＴＥＰ１の開始手順で必要な初期化処理を情報処理装置１０に実行させ、ＳＴＥＰ２でのスタンプ画面表示手順で、図４（ａ）に示すスタンプ画面を情報処理装置１０のマルチタッチディスプレイ１２に表示させる。このＳＴＥＰ２は、上記接触領域配置手順と接触領域非表示手順とを含み、これら接触領域配置手順と接触領域非表示手順により、マルチタッチディスプレイ１２にボタン１３が所定の配置態様で配置されると共にその非表示化が実行され、更に、マルチタッチディスプレイ１２に図４（ａ）に示す別個のイメージ１４が表示される。また、ＳＴＥＰ２のスタンプ画面表示時には、マルチタッチディスプレイ１２の所定位置（図４（ａ）では下端部）には、「スタンプ」ボタン及び「リスト」ボタンがそれぞれクリック自在に（即ち、指で触れると対応するイベントを発生するように）配置されている。そして、このスタンプ画面で、「リスト」ボタンをクリックすると、ＳＴＥＰ３のリスト画面表示手順で、図６（ｂ）に示すイメージ１４が情報処理装置１０のマルチタッチディスプレイ１２に表示される。図６〜図７は、情報処理装置１０に表示するコンテンツの一例として、美術館や博物館等の展示物や当該展示物に関連する情報を表示する場合を示し、図６（ｂ）のイメージ１４は、展示物関連情報をリスト形式で表示するものである。なお、図６（ｂ）のリスト画面表示時には、マルチタッチディスプレイ１２の所定位置（図６（ｂ）では下端部）には、やはり、「スタンプ」ボタン及び「リスト」ボタンがそれぞれクリック自在に配置されている。そして、このリスト画面で、「スタンプ」ボタンをクリックすると、ＳＴＥＰ２のスタンプ画面表示手順に復帰し、図４（ａ）に示すイメージ１４がマルチタッチディスプレイ１２に表示される。なお、ＳＴＥＰ２で「スタンプ」ボタンをクリックしたり、ＳＴＥＰ３で「リスト」ボタンをクリックしても、画面は変更されない。
【００２６】
次に、ＳＴＥＰ４の入力手順で、使用者が、駆動装置２０を把持して情報処理装置１０のマルチタッチディスプレイ１２をスタンプする。即ち、使用者が露出部２２に指を触れた状態で接触部２６をマルチタッチディスプレイ１２のボタン１３に接触させる。このとき、遮蔽部２７を設けている場合は、遮蔽部２７を介して接触部２６がマルチタッチディスプレイ１２のボタン１３に上記した略密接状態となる。これにより、駆動装置２０が、接触部２６によりマルチタッチディスプレイ１２の対応するボタン１３を駆動する。例えば、図３に示す３個の接触部２６Ｘが、図４（ｂ）に示す３個のボタン１３Ｘを駆動する。すると、ＳＴＥＰ５のスタンプ判断手順で、スタンプの種類が判断される。即ち、スタンプした駆動装置２０の接触部２６Ｘの配置態様（配置数及び配置位置）に対応するマルチタッチディスプレイのボタン１３Ｘの配置態様（配置数及び配置位置）が判断される、その配置態様に割り当てられたコンテンツが、情報処理装置１０のコンテンツ格納領域（記憶領域）から呼び出される。そして、呼び出されたコンテンツ（例えば、図６（ａ）のコンテンツ）が、ＳＴＥＰ６の情報表示手順でマルチタッチディスプレイ１２に表示される。なお、図６（ａ）のコンテンツ画面表示時には、マルチタッチディスプレイ１２の所定位置（図６（ａ）では下端部）には、やはり、「スタンプ」ボタン及び「リスト」ボタンがそれぞれクリック自在に配置されている。そして、このコンテンツ画面で、「スタンプ」ボタンをクリックすると、図４（ａ）のスタンプ画面が表示される。一方、ＳＴＥＰ５のスタンプ判断手順で特定されたコンテンツの情報に基づき、ＳＴＥＰ７のアイコン表示処理で、そのコンテンツに対応する前記リスト画面（図６（ｂ）参照）の欄に、当該コンテンツに対応するアイコンが割り当てられる。そして、図６（ａ）のコンテンツ画面で「リスト」ボタンをクリックすると、図７のリスト画面がマルチタッチディスプレイ１２に表示される。図６（ｂ）の（閲覧前の）リスト画面が全て空欄であるのに対し、図７のリスト画面では、マルチタッチディスプレイ１２のイメージ１４としてのリストには、前記表示済みのコンテンツ（例えば、「歴史」コンテンツ）を閲覧したことを示すアイコン（ＳＴＥＰ７で割り当てられたアイコン）が、リストの対応する欄に表示される。その後、ＳＴＥＰ８の終了手順で全体の処理が終了される。
【００２７】
下記は、上記ＳＴＥＰ５のスタンプ判断手順の一例、即ち、駆動装置２０の接触部２６Ｘによるボタン１３Ｘの駆動（ボタンイベント）に伴う表示処理部分についてのプログラムソースコードである（プログラム言語はＯｂｊｅｃｔｉｖｅ−Ｃ）。
（以下、ソースコード）
- (void)loop:(NSTimer *)timer
{
// アニメーションの定義開始
[UIView beginAnimations:nil context:nil];
[UIView setAnimationDuration:0.5];
if((num5 == 1)&&(num8 == 1)&&(num3 == 1)){
conL1.alpha = 1;    //コンテンツを表示
L1.alpha = 1;    //リストボタン表示
Sview.alpha = 0;
Lview.alpha = 0;
AudioServicesPlaySystemSound(soundID);
}
if((num1 == 1)&&(num12 == 1)&&(num7 == 1)){
conL2.alpha = 1;    //コンテンツを表示
L2.alpha = 1;    //リストボタン表示
Sview.alpha = 0;
Lview.alpha = 0;
AudioServicesPlaySystemSound(soundID);
}
if((num3 == 1)&&(num10 == 1)&&(num4 == 1)){
conL3.alpha = 1;    //コンテンツを表示
L3.alpha = 1;    //リストボタン表示
Sview.alpha = 0;
Lview.alpha = 0;
AudioServicesPlaySystemSound(soundID);
}
if((num4 == 1)&&(num9 == 1)&&(num6 == 1)){
conL4.alpha = 1;    //コンテンツを表示
L4.alpha = 1;    //リストボタン表示
Sview.alpha = 0;
Lview.alpha = 0;
AudioServicesPlaySystemSound(soundID);
}
num1 = 0;
num2 = 0;
num3 = 0;
num4 = 0;
num5 = 0;
num6 = 0;
num7 = 0;
num8 = 0;
num9 = 0;
num10 = 0;
num11 = 0;
num12 = 0;
// アニメーションの定義終了、実行
[UIView commitAnimations];
}
（以上、ソースコード）
【００２８】
実施の形態２
図８に示すように、実施の形態２の情報処理システムの駆動装置３０は、ペットボトルを利用したものである。即ち、本発明者らが様々なもので情報処理装置の静電容量式マルチタッチディスプレイを接触して動作を確認したところ、液体の入っているペットボトルでもマルチタッチディスプレイが反応することを確認した。この場合、ペットボトル内の液体は何でもよく、ケチャップやボンド、洗剤などでも反応した。実施の形態２の駆動装置３０は、かかる知見に基づき創作されたものである。即ち、駆動装置３０は、ペットボトル形状のベース部３１を備えている。ベース部３１の下面には、突起状の接触部３２が一体的に設けられている（例えば、一体形成されている）。ベース部３１及び接触部３２は、ＰＥＴ（ポリエチレンテレフタレート）からなり、ベース部３１の内部充填空間内の液体（水等）が導通部として機能する。このとき、図８（ａ）に示すように、ベース部３１を側面側から見ると前記接触部３２は視認することができないが、図８（ｂ）に示すように、ベース部３１の底面側からみると、接触部３２を視認できる。駆動装置３０は、図９に示す情報処理装置１０のマルチタッチディスプレイ１２に表示した円形のイメージからなる載置部１４Ａ上に載置すると、載置部１４Ａ内に配置された（接触部３２と対応する配置態様で配置されると共に、非表示常態とされている）接触領域に接触部３２がそれぞれ接触状態または略接触状態となり、接触領域を駆動して、情報処理装置１０に所定の処理を実行させる。このとき、ベース部３１の内部空間に充填した商品としての液体の種類、量、成分等の属性に応じて接触部３２の配置態様を設定した駆動装置を、同一属性の液体ごとに用意すると、駆動装置３０を情報処理装置１０にスタンプして、情報処理装置１０により駆動装置３０の接触部３２の配置態様を判断乃至解析することができる。こうすると、情報処理装置１０により、接触部３２の配置態様に対応する商品の属性（商品名、単価、内容量、製造年月日、賞味期限、成分等）をマルチディスプレイ１２に表示して、消費者にどの商品でどのような属性のものが充填されているかを知らせることができる。
【００２９】
実施の形態３
図１０に示すように、実施の形態３の情報処理システムの駆動装置４０は、壁面や壁面に設置した設置物（地図等）の表面に固定されて使用される固定型のものである。例えば、複数の駆動装置４０Ａ、４０Ｂ，４０Ｃ，４０Ｄ，４０Ｅを、地図Ｍにおいて所定の地域に対応する箇所にそれぞれ固定する。各駆動装置４０は、図１１（ａ）に示すように、実施の形態１と同様、マルチタッチディスプレイ１２の所定領域内に３個以上の複数の接触領域１３（ボタン等）が離間配置された情報処理装置１０に適用される。また、駆動装置４０は、実施の形態１の駆動装置２０と同様、ベース部４１及び駆動部４２を備えている。一方、駆動装置４０では、ベース部４１は、屋内外の設置物（壁、床等）に固定され、使用者が情報処理装置１０を把持して駆動装置４０に押し当てるようになっている。よって、ベース部４１は、やはり、情報処理装置１０のマルチタッチディスプレイ１２に対応する（好ましくは、略同一外形の）ブロック形状をなしている。一方、駆動部４２は、図示はしないが、実施の形態１の駆動部と同様の構成を有している。即ち、駆動部４２は、露出部、導通部及び接触部を有している。露出部は、ベース部４１の対向面以外の面である側面に露出する所定面積の露出面を有する導電体からなる。また、導通部は、ベース部４１の内部に配設されて前記露出部と（電気的接続部等を介して間接的に、あるいは、直接的に）電気的に導通する導電体からなる。更に、接触部は、ベース部４１の対向面に配設されて前記導通部と（電気的接続部等を介して間接的に、あるいは、直接的に）電気的に導通する導電体からなると共に、導通部以外の部分は絶縁材料からなるベース部の部分により絶縁される。接触部は、マルチタッチディスプレイ１２の接触領域（ボタン１３等）の全数より少ない複数となるよう当該接触領域の中から選択した（２個以上の）複数の接触領域に対応する位置に配置された複数の接触部からなる。そして、図１１（ｂ）に示すように、使用者が手Ｈで情報処理装置１０を把持して当該情報処理装置１０のマルチタッチディスプレイ１２を駆動装置４０のベース部４１の対向面（接触部が配置された面乃至接触部を覆う遮蔽部の面）に当接配置し、指を駆動部４２の露出部に載置する（乃至触れる）ことにより、複数の接触部がマルチタッチディスプレイ１２の選択された複数の接触領域に接触し、使用者の指とマルチタッチディスプレイ１２の選択した複数の接触領域とが、露出部及び導通部を介して電気的に接続する。これにより、指と接触部が接触する接触領域との間で電荷が移動して接触領域の静電容量が変化する。
【００３０】
実施の形態３の駆動装置４０を使用すると、例えば、博物館など展示スペースとして建てられた展示スペースとは違う、工場、学校、駅前等の施設を容易に展示スペースの様に変えることができるコンテンツ表示処理が可能となる。即ち、特定の施設において、会場内の様々な場所に存在する物体（展示物も含む）について、その属性をサポートする情報処理プログラムを作成しておき、各物体について、固有の（一意の）配置態様の接触部を備えた駆動装置４０を当該物体の位置に固定しておくと共に、情報処理装置１０がその配置態様を認識したときに対応する物体の属性に関する情報を呼び出して表示するよう構成する。なお、この情報は、サーバーに格納しておき、情報処理装置１０の要求によりサーバーから情報処理装置１０に情報を送信するよう構成することができる。また、情報処理装置１０が受信した情報は、情報処理装置１０に記憶され、記憶した情報を情報処理装置１０により何度でも見返す事ができるようにする。
【００３１】
一方、博物館等の施設や会場で情報処理装置１０を貸し出して上記のようなコンテンツ表示を行う場合において、情報処理装置１０を利用した来場者は、会場から出るときにその情報処理装置１０を返却する必要があり、情報処理装置１０に記憶した情報を持ち帰ることができない。したがって、この点を解消するため、来場者一人一人に一意のパスワードを渡し（例えば、来場者に渡すパンフレットやチケット等に印刷しておき）、来場者が来場時にそのパスワードを情報処理装置１０に打ち込むことにより、上記のようなコンテンツ表示処理用の情報処理プログラムを起動させることで、情報処理装置１０が各来場者（ユーザ）の識別情報（ＩＤ）をサーバーに送信するようにすることもできる。こうすると、個々の情報処理装置１０と個々の来場者とを１対１で対応付けることができ、各来場者がどのデータをサーバーから受信したのかということをサーバー側で判断することができる。そして、来場者は、家に帰ったあとで、自分のパソコンからウエブサイトにアクセスし、自己に割り当てられたパスワードを入力することで、会場で受信した情報を閲覧できるようにすることができる。こうすれば、情報処理装置１０を所有していない人でも、情報の持ち帰りというものが可能になる。また、複数の情報処理プログラムに対して１つのウエブサイトを構築及び運営することで、入手した情報をすべて１つのウエブサイトで閲覧することができるようになる。
【００３２】
上記情報処理プログラムは、概略的には、以下のような処理を情報処理装置１０に（サーバーを利用して）実行させる。
ＳＴＥＰ１１：リーフレット等の来場者への配布物にユニークな（来場者ごと、即ち、リーフレットごとに一意の）パスワードを表記
ＳＴＥＰ１２：情報処理装置１０を起動させたときにそのパスワードを入力
ＳＴＥＰ１３：プログラムスタート画面表示
ＳＴＥＰ１４：展示スペースに置いてある入力装置としての駆動装置４０を使用
ＳＴＥＰ１５：情報処理装置１０の画面に情報を表示
ＳＴＥＰ１６：誰が情報を閲覧したかサーバーに記録
ＳＴＥＰ１７：リストにアイコンを追加
ＳＴＥＰ１８：リストのアイコンを押すと、対応した情報を表示
ＳＴＥＰ１９：ウエブサイトへアクセスして情報閲覧
【００３３】
実施の形態４
実施の形態４は、上記情報処理システムの駆動装置２０，４０を利用して博物館展示物に関する情報提供を行う他の例に関するものである。詳細には、来場者が、各ポイントで駆動装置２０，４０を使用して情報処理装置１０に固有のスタンプを押す。すると、情報処理装置１０がサーバーから情報を受信して対応するコンテンツを表示する。また、情報処理装置１０が閲覧者（来館者）の情報をサーバーに送信し、サーバーが、閲覧者の閲覧時間や評価等の属性（何を押したか、何時に入場したか、何時に退場したか等）をパーソナルデータとして記憶し管理する。これにより、来場者が自宅のＰＣで全ての来場者の行動をグラフ化したものを閲覧できる。なお、グラフの態様としては、例えば、年代（２０代、３０代、４０代・・・）ごとの全体グラフと、個別のグラフとを挙げることができる。個別のグラフでは、来場者個人のデータを麹菌に見立てて、全ての来場者との関係や相関等を見つけ出してグラフの所定の位置に配置する。即ち、図１２に示すように、個別グラフのデータ５０において、５１は行程（周りの粒）、５２は撮った写真の数（粒の数）、５３は滞在時間、５４は評価（茎の長さ）をそれぞれ示す。また、図１３に示すように、個別グラフのデータ５０を集積した統合グラフの全体データ６０において、６１〜６３は、それぞれ、年代等の属性ごとの個人データ５０の集合乃至集積範囲を表す。即ち、この統合グラフは、大枝に沿った軸を時間軸として大枝により時間を表し、かつ、年代ごとに空間を区画して年代別の個人データをその空間に配置して表す（年代ごとの円）。この統合グラフは空間で時間を表しており、扱えるデータの種類としては、次に向かうまでの時間、人数、評価、個人の滞在時間または閲覧時間、イベントの時間がある。また、図１４に示すように、統合グラフの全体データ７１は、個別データ５０を横軸（Ｘ軸）の時間軸に沿って時系列で並べたものとすることもできる。また、図１５に示すように、来場者全体の統計結果を表す全体グラフは、評価の値や撮影した写真の数を表す個別データ５０を、横軸（Ｘ軸）の時間軸に沿ってスタンプの順で並べ、かつ、縦軸（Ｙ軸）で評価の高低を表すと共に、各個別データ５０の小円（粒）の数で撮影した写真の数を表すことができる。
【００３４】
実施の形態５
図１６に示すように、実施の形態５の情報処理システムの駆動装置９０は、屋内外の設置面に設置して使用される設置型乃至縦置きスタンド型のものである。駆動装置９０は、図１６に示すように、実施の形態１と同様、マルチタッチディスプレイ１２の所定領域内に３個以上の複数の接触領域１３（ボタン等）が離間配置された情報処理装置１０に適用される。また、駆動装置９０は、実施の形態１の駆動装置２０と同様、ベース部９１，９２及び駆動部９３，９５を備えている。ベース部は、内面のうちの上下に延びる面を若干傾斜する傾斜面（水平面に対する傾斜角度約７０〜８０度程度）とした略Ｌ字ブロック状をなす基部９１と、基部９１の傾斜面に接着等により固定される帯電部９２とからなる。駆動装置９０は、屋内外の設置面（壁面、床面、机上面、地面等）に載置或いは固定され、使用者が情報処理装置１０を把持して駆動装置９０に押し当てるようになっている。よって、ベース部９１，９２は、やはり、情報処理装置１０のマルチタッチディスプレイ１２に対応する（好ましくは、略同一外形の）ブロック形状をなしている。また、帯電部９２は、発泡スチロール等の静電気を帯電した素材（誘電体等）からなる。一方、駆動部は、導通部９３と接触部９５とからなる。接触部９５は、実施の形態１の接触部２６と同様の構成であり、導電体からなり、マルチタッチディスプレイ１２の接触領域の全数より少ない複数となるよう当該接触領域の中から選択した（２個以上の）複数の接触領域に対応する位置に配置された複数の接触部９５からなる。また、導通部９３は、ベース部９１，９２の内部において、帯電部９２と（実施の形態１の絶縁部２５と同様の）絶縁部９４との間に介装して配設され、帯電部９２と接触部９５とを電気的に接続している。なお、図１６では、接触部９５の穿刺部は導通部９３を貫通して帯電部９２内に延設され、帯電部９３の電荷を直接的に接触部９５に移動自在としているが、延設部を帯電部９２の手前の位置の導通部９３まで延長して、導通部９３を介して帯電部９２と（静電的に）導通するようにしてもよい。また、接触部９５の全てが外部から遮蔽されるよう、実施の形態１の遮蔽部２７と同様の遮蔽部９６が絶縁部９４の表面に貼付固定されている。
【００３５】
実施の形態５の駆動装置９０は、使用者が手で情報処理装置１０を把持して当該情報処理装置１０のマルチタッチディスプレイ１２をベース部の対向面（遮蔽部９６の表面）に当接配置することにより、指を載置したり接触したりするための露出部を駆動部に設けることなく、複数の接触部９５がマルチタッチディスプレイ１２の選択された複数の接触領域に接触し、帯電部９２とマルチタッチディスプレイ１２の選択した複数の接触領域とが、導通部９３を介して電気的に接続する。これにより、帯電部９２と接触部９５が接触する前記接触領域との間で電荷が移動して接触領域の静電容量が変化する。実施の形態５のようなスタンド型（据え置き型）の駆動装置９０では、上記駆動装置２０，４０のように露出を設けて指を触れるようにすることが困難な場合もあるため（駆動装置の側面に通電部を配設することも可能ではあるが）、上記のように、帯電部９２を設けている。一方、帯電素材の発揮する電解作用（静電容量に影響を与える能力乃至電力）は微弱であるため、その電力を増強するため、導通部９２を帯電部９３に全面的に接触させ、導通部９３によって接触部９５との間での電荷の移動を促進している。なお、指で触れて通電し反応する素材によって露出部を設ける場合でも、素材によっては、帯電する素材（帯電部９２）と組み合わせたときに反応しづらいことがあるが、この場合は、帯電する素材の能力を向上するため、通電する素材（導通部９３）を多く利用することが好ましい。即ち、帯電する素材（帯電部９２）の点（接触部９５の穿刺部の先端の点状の部分）から電荷移動を行わせるのではなく、導通部９３を介して面的に電荷移動を行わせることが好ましい。それでも反応が悪い場合、導通部９３をより導電性の高い素材により形成することが好ましい。
【００３６】
実施の形態６
図１７に示すように、実施の形態６の情報処理システムの駆動装置１００は、実施の形態５の駆動装置９０とほぼ同様の構成であり、屋内外の設置面に設置して使用される設置型乃至縦置きスタンド型のものである。一方、駆動装置１００は、横置きスタンド型とされている。即ち、駆動装置１００は、実施の形態５の駆動装置９０のベース部の基部９１と同様の基部１０１と、駆動部の導通部９３及び接触部９５と同様の構成の駆動部の導通部１０２及び接触部１０４とを備えている。一方、基部１０１は、内面のうちの前後左右に延びる面を若干傾斜する傾斜面（水平面に対する傾斜角度約１０〜２０度程度）とした略Ｌ字ブロック状をなしている。なお、基部１０１には帯電部は設けられず、基部１０１自体が帯電素材で形成されて帯電部の機能を兼ねるようになっている。なお、駆動部１００は、前記駆動部９０の絶縁部９４及び遮蔽部９６と同様の絶縁部１０３及び遮蔽部１０５を備えている。実施の形態６の駆動装置１００も、実施の形態５の駆動装置９０と同様に使用でき、同様の作用効果を発揮する。
【００３７】
実施の形態７
実施の形態７の情報処理システムの駆動装置１１０は、携帯端末型の情報処理装置であって本体（基部１１）に着脱自在な保護ケース乃至保護カバーを保護カバー付情報処理装置１０（上記したｉＰｈｏｎｅ等）に具体化される。即ち、従来の保護カバー付情報処理装置１０の使用時には、保護カバーは、基部１１の裏面側に装着され、マルチタッチディスプレイ１２の指接触による操作を邪魔しないようになっている。実施の形態７の駆動装置１１０は、この保護カバーを改造し、上記実施の形態のように情報処理装置１０のマルチタッチディスプレイ１２に押し当てることにより所定の駆動動作を行わせる構成としている。なお、図１８（ａ）は、かかる従来の使用時の保護カバーの装着状態に対応して、実施の形態７の駆動装置１１０を情報処理装置１０の裏面側に装着した状態を示す。一方、実施の形態７では、保護カバー付情報処理装置１０の使用時に、駆動装置１１０は、図１８（ｂ）に示すように、基部１１の表面側（マルチタッチディスプレイ１２側）に装着される。詳細には、図１９は駆動装置１１０の表面側を示し、情報処理装置１０に対応する横長角丸長方形状の薄型ケース状乃至保護カバー状をなす基部１１１には、情報処理装置１０のマルチタッチディスプレイ１２の主要部（下端部を除いた部分）に対応する横長長方形状の開口１１１ａが貫通形成され、駆動装置１１０を情報処理装置１０の表側に装着したときに、使用者が開口１１１ａ内に指を進入してマルチタッチディスプレイ１２に触れて任意の操作をできるようにしている。また、基部１１１の右上コーナー部には円形の小開口状をなす挿通孔１１１ｂが形成されている。
【００３８】
一方、図２０は駆動装置１１０の裏面側を示し、基部１１１の裏面（内面）において、基部１１１の開口１１１ａの下側となる下端部には、横長帯状乃至横長長方形ブロック状をなすスポンジ材料等の大きな弾性（特に厚み方向の弾性及び伸縮性）を有する絶縁性材料からなる支持部１１２が貼付して固定されている。なお、支持部１１２は基部１１１の裏面側に設けられるため、基部１１１の表面側から接触することはできない。支持部１１２の表面には、長さ方向に延びるよう導線１１３が延設されると共に、その導線１１３の上には、長さ方向に離間した所定の位置に、それぞれ、駆動電極となる接触部１１４が貼付固定されて、接触部１１４と導線１１３とがそれぞれ電気的に導通している。なお、駆動装置１１０を表面側から見ると、接触部１１４は支持部１１２により完全に遮蔽され、視認することはできない。即ち、支持部１１２は遮蔽部としても機能する。一方、導線１１３は、前記挿通孔１１１ｂから基部１１１の表面側に引き出され、図１９に示すように、基部１１１の表面の所定部位（開口１１１ａの右側端縁部）に上下に延びるよう固定されている。これにより、基部１１１の周縁部を情報処理装置１０の周縁部に嵌合して装着すると、駆動装置１１０が情報処理装置１０のマルチタッチディスプレイ１２に対して正確な位置に位置決めされる。同時に、複数（図２０では２個）の接触部１１４が、マルチタッチディスプレイ１２の所定位置に設定配置した複数の接触領域（前記ボタン１３と同様のもの）に接触する。このとき、支持部１１２は、駆動装置１１０の情報処理装置１０への装着時に、接触部１１４の表面がマルチタッチディスプレイ１２に弾性的に押し当てられて密接するような厚みに設定されている。したがって、支持部１１２の厚み方向への弾性及び伸縮性により、導電体からなる電極としての接触部１１４がマルチタッチディスプレイ１２の接触領域に確実かつ正確に密接する。そして、使用者が、指を基部１１１の表面側に露出する導線１１３に接触すると（例えば、基部１１１の装着時に接触していると）、導線１１３を介して指と接触部１１４とが電気的に導通し、接触部１１４によってマルチタッチディスプレイ１２の接触領域を確実に駆動することができる。なお、情報処理装置１０は、マルチタッチディスプレイ１２の下端部に複数の接触領域を設定配置し、その配置態様に応じた処理を実行するようになっている。これに対応して、駆動装置１１０の接触部１１４も、マルチタッチディスプレイ１２の接触領域の配置態様に応じた配置態様となっている。
【００３９】
実施の形態７の駆動装置１１０は、情報処理装置１０に付属の保護ケース乃至保護カバー自体を改造するため、駆動装置１１０の形状（特に装着部位となる外形部分）が情報処理装置１０自体の形状に合致することから、駆動装置１１０を情報処理装置１０のマルチタッチディスプレイに対して正確に位置決めすることができ、接触部１１４をマルチタッチディスプレイの目的の接触箇所である接触領域に確実かつ正確に接触させることができる。なお、上記実施の形態も含め、駆動装置の接触部をマルチタッチディスプレイの接触領域に完全に（輪郭が）合致するよう接触させなくても（多少ずれて接触させても）、接触部による接触領域の駆動に影響はない。また、実施の形態７の駆動装置１１０は、上記実施の形態のスタンプ型の駆動装置と比較して、開口１１１ａの存在により、情報処理装置１０の画面を見ながらスタンプを押すことができるため、その使用用途を拡大することができる。例えば、装着時の接触部１１４の接触によりマルチタッチディスプレイ１２の接触領域（スイッチ等として具体化）を押している時だけ、マルチタッチディスプレイ１２に特殊なコンテンツを表示し、使用者が開口１１１ａを介してマルチタッチディスプレイ１２の画面をタッチして操作できるようにすることもできる。例えば、駆動装置１１０を装着しているとき、情報処理装置１０によってＡＲ（拡張現実）体験ができるよう構成することもできる。従来のＡＲは、カメラ機能を利用しての画像認識と位置情報を取得して所定の処理を実行している。これら２つの機能に加えて、実施の形態７の駆動装置１１０を利用してＡＲを体験することが可能となる。即ち、情報処理装置を持って特定の場所に行き、駆動装置１１０を装着することで特別な感覚（疑似体験）を使用者に提供することが可能となる。
【００４０】
実施の形態８
実施の形態８の情報処理システムの駆動装置１２０は、情報処理装置１０が備えるギター演奏機能の操作を支援し操作性を大幅に向上するためのものである。即ち、実施の形態８の駆動装置は、マルチタッチディスプレイ１２の接触領域が、当該マルチタッチディスプレイ１２の所定の領域（接触領域用配置領域）内に離間配置された（３個以上の）複数の接触領域からなる情報処理装置１０に適用される。この情報処理装置１０では、接触領域が、ギターの弦と隣接するフレット間の中央位置との交差位置（指押圧位置）に対応する操作点として機能するよう設定されて、当該操作点のうちの所定の操作点に接触（押圧乃至オン）することにより、接触した操作点（の組み合わせ及び接触態様）に応じた固有の音またはコード音を演奏する模擬ギター演奏処理を実行する（模擬ギター演奏用コンテンツを呼び出して画面表示する）。
【００４１】
この情報処理装置１０は、図２４に示すように、マルチタッチディスプレイ１２の下半部にギターの弦１２Ｇを模したイメージを表示する弾弦領域を有すると共に、上半部に、上記操作点１３Ｇ（合計６本の弦１−ａ，１−ｂ，１−ｃ，１−ｄ，１−ｅ，１−ｆと合計８個のフレット間中央位置との交差点に対応する６行８列＝４８個の交差点）を設定配置したコントロール領域を表示している。使用者は、一方の手の指により任意の操作点１３Ｇに触れた状態で、他方の手の指で弦１２Ｇに触れることで、対応する操作点１３Ｇの音を出すよう情報処理装置１０に（その模擬ギター演奏プログラムを介して）模擬演奏を実行させることができる。このとき、ギターのコードに応じた複数の操作点１３Ｇを押圧することにより、対応するコードの音を演奏することができる。
【００４２】
一方、図２２に示すように、駆動装置１２０を情報処理装置１０に装着して、駆動装置１２０により情報処理装置１０の操作点１３Ｇを間接的に操作して操作性を向上することができる。即ち、駆動装置１２０は、ベース部１２１と駆動部とを備える。ベース部１２１は、情報処理装置１０の上半部に前記コントロール領域を完全に覆うように装着自在な構成とされている。ベース部１２１は、情報処理装置１０の一方側に（情報処理装置１０をギターのボディーに見立てて）延設されるギターのヘッド・ネック形状をなしている。ベース部１２１は、ギターのヘッドに対応する模擬形状のヘッド部１２１ａ、ネックに対応する模擬形状のネック部１２１ｂ、及び、情報処理装置１０の外形に対応する（ギターのヘッドに対応する模擬形状の）ボディー部１２１ｃを有している。ベース部１２１は、例えば、ボディー部の外周部に、スナップフィットにより情報処理装置１０の外周部に着脱自在に密嵌して装着される嵌合構造を有している。また、ベース部１２１は、ギターのナットを模したナット部１２２と、弦を模した線状の弦部１２３とを描画等により設けている。更に、ベース部１２１は、フレット間の中央位置（１〜８節の合計８箇所）のうち、ギターのＣ，Ａ，Ｇ，Ｄ，Ｅ，Ｆの各コードを演奏するために必要な押圧点に、点状（証円形状）の導電体からなる露出部１２４を配設している。なお、各コードの押圧点は、図２３に示すとおりである。また、ベース部１２１のボディー部１２１ｃは、ギターのピックアップを模したピックアック部１２５と、ブリッジを模したブリッジ部１２９とを有している。更に、ベース部１２１のボディー部１２１ｃは、情報処理装置１０への装着時にマルチタッチディスプレイ１２の上半部のコントロール領域に対応する矩形シート状をなし、コントロール領域を完全に覆って遮蔽する遮蔽部１２６を備えている。遮蔽部１２６は、前記ピックアック部と一対の固着部１２７とにより、ボディー部１２１ｃの表面の所定位置に保持されている。なお、ベース部１２１のボディー部１２１ｃのうち、前記マルチタッチディスプレイ１２の弾弦領域部分には、対応する矩形状の開口が貫通形成され、演奏者が開口を介してマルチタッチディスプレイ１２の弾弦領域（弦１２Ｇ）に指を触れることができるようになっている。
【００４３】
また、駆動部は、前記複数の露出部１２４と、複数の接触部としての信号伝達部１２８と、前記露出部１２４と信号伝達部１２８とを電気的に導通する導通部とからなる。露出部１２４は、上記のように、ベース部１２１のネック部１２１ｂにおいて、所定のフリット間の中央の弦１２３に対応する位置に設けられ、それぞれが、人の指（指先）により個別に接触・押圧自在となっており、上記実施の形態の露出部に対応する部材である。また、信号伝達部１２８は、ベース部１２１のボディー部１２１ｃの情報処理装置１０との対向面において、情報処理装置１０のマルチタッチディスプレイ１２の操作点１３Ｇと同一の数及び種類並びに対応する配置態様で操作点１３Ｇに対向するよう配置された導電体からなる。信号伝達部１２８は、それぞれが、ベース部１２１の情報処理装置１０への装着時に、マルチタッチディスプレイ１２の操作点１３Ｇに個別に接触するようになっており、上記実施の形態の接触部に対応する部材である。また、導通部は、図示はしないが、ベース部１２１のネック部１２１ｂからボディー部１２１ｃまでの内部に配設されて、前記複数の露出部１２４と前記複数の信号伝達部１２８とのうち、対応する対の露出部１２４と信号伝達部１２８とを、それぞれ、電気的に接続する導電体からなる。即ち、導通部は、露出部１２４と信号伝達部１２８との連結数（連結すべき対の数）に応じた数が所定の連結態様で配設される。なお、導通部は、露出部１２４から信号伝達部１２８まで形成乃至配設したプリント配線やリード線等から構成することができる。
【００４４】
駆動装置１２０は、各コードに対応する露出部１２４を指で押圧し、情報処理装置１０のマルチタッチディスプレイ１２をこすると抑えたコードの音が鳴るという構成である。駆動装置１２０は、ベース部１２１等を可撓性材料でシート状に形成することにより、折り畳み自在とすることもできる。また、この駆動装置１２０は、ギター以外にも、同様の構成により、ベースやバイオリン等に適用することも可能である。なお、情報処理装置１０のマルチタッチディスプレイのコントロール領域では、弦１３Ｇは表示せず、イラストなどを表示することが好ましい。
【００４５】
実施の形態９
実施の形態９の情報処理システムの駆動装置１３０は、情報処理装置１０が備えるキーボード入力機能の操作を支援し操作性を大幅に向上するためのものである。即ち、実施の形態９の駆動装置は、マルチタッチディスプレイ１２の接触領域が、当該マルチタッチディスプレイ１２の所定の領域（接触領域用配置領域）内に離間配置された（３個以上の）複数の接触領域からなる情報処理装置１０に適用される。この情報処理装置１０では、接触領域が、キーボードのキーとして機能するよう設定されて、当該キーのうちの所定のキーに接触（押圧乃至オン）することにより、接触したキー（及び、複数キー押圧時の組み合わせ及び接触態様）に応じた固有のキー操作処理を実行する（キーボードを呼び出して画面表示する）。
【００４６】
この情報処理装置１０は、図２６に示すように、マルチタッチディスプレイ１２の下半部にキーボードの各キー１３Ｋを設定配置したコントロール領域を表示している。使用者は、指により任意のキー１３Ｋに接触することで、対応するキー操作を情報処理装置１０に実行させることができる。このとき、（ショートカットキーに応じた）複数のキーを押圧することにより、ショートカットキー操作も行うことができる。
【００４７】
一方、図２５に示すように、駆動装置１３０を情報処理装置１０に装着して、駆動装置１３０により情報処理装置１０のキー１３Ｋを間接的に操作して操作性を向上することができる。即ち、駆動装置１３０は、ベース部１３１と駆動部とを備える。ベース部１３１は、図２７に示すように、キーボードに対応する横長長方形状をなす（絶縁材料からなる）シート状のキーボード部１３１ａと、キーボード部１３１ａの前端中央部から前方斜め情報に延設して一体形成された矩形シート状乃至矩形ブロック状の装着部１３１ｂとかなり、装着部１３１ｂの嵌合凹部１３１ｃに情報処理装置１０の下端部を嵌合装着して固定するようになっている。また、キーボード部１３１ａの上面には、キーボード部１３１ａを完全に覆う横長長方形状をなすと共に、各キーに対応する位置にキー部１２１を配置した絶縁材料からなるシート体が載置固定されている。このシート体の前端中央部には、マルチタッチディスプレイ１２のコントロール領域に対応する矩形シート状をなす遮蔽部が、前記装着部１３１ｂと前記嵌合凹部１３１ｃの厚み間隔をおいて一体形成されている。遮蔽部１３３は、ベース部１２１に情報処理装置１０を装着したときに、コントロール領域を完全に覆うようになっている。また、このシート体の下面において、各キー部１３２の位置には、各キー１３２と対応する（例えば同一の）外形のシート状の導電体からなる操作点１３２Ｋが、前記露出部に対応する部材として固着されている。
【００４８】
また、駆動部は、前記複数の露出部としての操作点１３２Ｋと、複数の接触部としての信号伝達部１３５と、前記操作点１３２Ｋと信号伝達部１３５とを電気的に導通する導通部としての導通線１３４とからなる。操作点１３２Ｋは、上記のように、ベース部１３１の上面側（前記シート体の下面）においてキー部１３２に対応する位置に設けられ、それぞれが、人の指（指先）によりキー部１３２を介して個別に押圧自在となっており、上記実施の形態の露出部に対応する部材である。なお、キー部１３２は、前記遮蔽部２７と同様の電荷移動を妨げない薄い素材からなり、指Ｆをキー部１３２に触れることにより、指と操作点１３２Ｋとの間での電解移動が自由に行われる。また、信号伝達部１３５は、前記遮蔽部１３３の情報処理装置１０との対向面において、情報処理装置１０のマルチタッチディスプレイ１２のキー１３Ｋと同一の数及び種類並びに対応する配置態様でキー１３Ｋに対向するよう配置された導電体からなる。信号伝達部１３５は、それぞれが、ベース部１３１への情報処理装置１０の装着時に、マルチタッチディスプレイ１２のキー１３Ｋに個別に接触するようになっており、上記実施の形態の接触部に対応する部材である。また、導通部１３４は、ベース部１３１と前記（キー部１３２を設けた）シート体との間に配設されて、前記複数の操作点１３２Ｋと前記複数の信号伝達部１３５とを、それぞれ、電気的に接続する導電体からなる。即ち、導通部１３４は、操作点１３２Ｋと信号伝達部１３５との連結数（連結すべき対の数）と同一の全数（キー数と同一数）が所定の連結態様で配設される。なお、導通部１３５は、操作点１３２Ｋから信号伝達部１３５まで形成乃至配設したプリント配線やリード線等から構成することができる。なお、信号伝達部１３５の縦横寸法或いは面積は、情報処理装置１０のマルチタッチディスプレイ１２による指または指相当物の接触点の読み取り能力（最小読取面積）に応じて設定されるが、例えば、携帯端末に適用する場合、縦横５ｍｍ程度とすることが好ましい。
【００４９】
通常の携帯端末からなる情報処理装置１０のマルチタッチディスプレイ１２上のキーボードは、ボタンが小さく打ちづらいことから、駆動装置１３０を利用することで、キーボード入力操作を大幅に容易化及び迅速化することができる。即ち、所定のキー部１３２を指Ｆで押すことにより、そのキー部１３２と同一のマルチタッチディスプレイ１２のキー１３Ｋとの間で電荷が移動し、キー１３Ｋが反応する。このキーボード型の駆動装置１３０は、電池等の電源が不要であり、かつ、複雑な設定も必要なく、更に、制作工程次第では、全体の構造を薄くかつ軽くすることも可能で、また、折り畳む事も可能である。
【００５０】
実施の形態１０
実施の形態１０の情報処理システムの駆動装置は、情報処理装置１０が備えるゲーム機能の操作を支援し操作性を大幅に向上するためのものである。即ち、実施の形態１０の駆動装置は、マルチタッチディスプレイ１２の接触領域が、当該マルチタッチディスプレイ１２の所定の領域（接触領域用配置領域）内に離間配置された（３個以上の）複数の接触領域からなる情報処理装置１０に適用される。この情報処理装置１０では、接触領域が、ゲームコントローラのコントロールキー及び／またはコントロールボタンとして機能するよう設定されて、当該コントロールキー及び／またはコントロールボタンのうちの所定のコントロールキー及び／またはコントロールボタンに接触（押圧乃至オン）することにより、接触したコントロールキー及び／またはコントロールボタン（の組み合わせ及び接触態様）に応じた固有の内容のゲーム用処理を実行する（ゲーム用コンテンツを呼び出して画面表示する）。実施の形態１０の駆動装置としては、図２８〜図３０に示す３タイプがある。
【００５１】
図２８に示す駆動装置１４０は、図２８（ａ）に示す情報処理装置１０に適用される。この情報処理装置１０は、マルチタッチディスプレイ１２の下端部に、横方向に延びる帯状のコントロール領域１３Ｗを設定配置している。コントロール領域１３Ｗには、ゲームコントローラの十字キーに対応する（ゲーム画面上におけるキャラクタ等の上下左右の４方向の移動操作等を指令する）コントロールキー１３Ａと、ゲームコントローラのＡボタン等に対応する（ゲーム開始等を指令する）コントロールボタン１３Ｂとが左右に離間配置されている。使用者は、指により任意のコントロールキー１３Ａやコントロールボタン１３Ｂに触れることで、対応する動作を情報処理装置１０に（そのゲームプログラムを介して）実行させることができる。なお、図２８（ａ）の情報処理装置は、情報処理装置１０単独で使用者が指によりコントロールキー１３Ａやコントロールボタン１３Ｂを操作してゲーム動作可能である。
【００５２】
一方、図２８（ｂ）に示すように、駆動装置１４０を情報処理装置１０に装着して、駆動装置１４０により情報処理装置１０のコントロールキー１３Ａやコントロールボタン１３Ｂを間接的に操作して操作性を向上することもできる。即ち、駆動装置１４０は、ベース部１４１と駆動部とを備える。ベース部１４１は、情報処理装置１０の下端部にコントロール領域１３Ｗを完全に覆うように装着自在な構成とされている。ベース部１４１は、情報処理装置１０の左右に張り出す横長のゲームコントローラ形状を有し、例えば、その中央部の上側に、スナップフィットにより情報処理装置１０の下端部に着脱自在に密嵌して装着される嵌合構造を有している。即ち、ベース部１４１は、人の手で（通常のゲームコントローラを操作するのと同様の態様で）把持自在な略平板ブロック形状または略平板パネル形状をなしている。このように、ベース部１４１は、情報処理装置１０の下端部に嵌合する嵌合部（図中の上側中央部）と、嵌合部から下側及び左右両側に張り出すパネル状の操作部とを有するブロック状のパネル部とから構成される。
【００５３】
また、駆動部は、複数のコントロール部１４２，１４３、信号伝達部及び導通部からなる。コントロール部１４２，１４３は、ベース部１４１の裏面側となる対向面と反対側の面である当該ベース部１４１の表面において、情報処理装置１０のマルチタッチディスプレイ１２のコントロールキー１３Ａと同一の数及び種類並びに対応する配置態様で配置された導電体からなる（コントロールキー状の）キー部１４２と、コントロールボタン１３Ｂと同一の数及び種類並びに対応する配置態様で配置された導電体からなる（コントロールボタン状の）ボタン部１４３とを備えている。キー部１４２及びボタン部１４３は、それぞれが、人の指（指先）により個別に接触・押圧自在（コントロールキー・ボタンと同様の操作自在）となっており、上記実施の形態の露出部に対応する部材である。
【００５４】
また、信号伝達部は、図示はしないが、ベース部１４１の対向面において、情報処理装置１０のマルチタッチディスプレイ１２のコントロールキー１３Ａと同一の数及び種類並びに対応する配置態様でキー１３Ａに対向するよう配置された導電体からなる（コントロールキー状の）コントロールキー用信号伝達部と、コントロールボタン１３Ｂと同一の数及び種類並びに対応する配置態様でボタン１３Ｂに対向するよう配置された導電体からなる（コントロールボタン状の）コントロールボタン用信号伝達部とを備えている。コントロールキー用信号伝達部及びコントロールボタン用信号伝達部は、それぞれが、ベース部１４１の情報処理装置１０への装着時に、マルチタッチディスプレイ１２のコントロールキー１３Ａ及びコントロールボタン１３Ｂに個別に接触するようになっており、上記実施の形態の接触部に対応する部材である。
【００５５】
また、導通部は、図示はしないが、ベース部１４１の内部に配設されて、前記複数のコントロール部１４２，１４３と前記複数の信号伝達部とのうち、対応する対のコントロール部１４２，１４３と信号伝達部とを、それぞれ、電気的に接続する導電体からなる。即ち、導通部は、コントロール部１４２，１４３と信号伝達部との対の数と同一数が配設される。なお、導通部は、コントロール部１４２，１４３から信号伝達部まで形成したプリント配線や、コントロール部１４２，１４３と信号伝達部とを導通するリード線等から構成することができる。
【００５６】
そして、駆動装置１４０は、ベース部１４１を情報処理装置１０に装着したときに、駆動部の全ての信号伝達部が、それぞれ、情報処理装置１０のマルチタッチディスプレイ１２の対応する全てのコントロールキー１３Ａ及びコントロールボタン１３Ｂに接触し、使用者が手でベース部１４１を把持して指を駆動部のコントロール部１４２，１４３のうちの所定のコントロール部の１個或いは複数個に同時に接触することにより（即ち、通常のゲームコントローラと同様のキー操作及びボタン操作をすることにより）、当該接触したコントロール部１４２，１４３が、前記導通部により導通する対となる信号伝達部を介して、マルチタッチディスプレイ１２の対応するコントロールキー１３Ａ及び／またはコントロールボタン１３Ｂと電気的に接続する。これにより、対応するコントロールキー１３Ａまたはコントロールボタン１３Ｂの静電容量が変化して、接触した指からのゲーム用制御信号がコントロールキー１３Ａ及び／またはコントロールボタン１３Ｂに伝達される。その結果、当該コントロールキー及び／またはコントロールボタンに固有のゲーム用処理を情報処理装置１０に実行させることができる。
【００５７】
図２９に示す駆動装置１５０は、図２９（ａ）に示す情報処理装置１０に適用される。この情報処理装置１０は、マルチタッチディスプレイ１２の左右両端部に、上下方向に延びる帯状のコントロール領域１３Ｌ及びコントロール領域１３Ｒをそれぞれ設定配置している。左側のコントロール領域１３Ｌには、ゲームコントローラの十字キーに対応する４個のコントロールキー、１個のＬＥＦＴボタン及び１個のＳＴＡＲＴボタンの合計６個のキー・ボタン類に対応する６個のボタン（丸付き数字で１〜６）が上下に離間配置されている。また、右側のコントロール領域１３Ｒには、ゲームコントローラのＡボタン等の６個のコントロールボタン、１個のＲＩＧＨＴボタン及び１個のＲＥＳＥＴボタンの合計８個のボタン類に対応する８個のボタン（丸付き数字で１〜８）が上下に離間配置されている。なお、この情報処理装置１０は、ボタン類が丸付き数字で表示されているため、使用者が指により任意のボタン類に触れて情報処理装置１０にゲーム動作をさせることは（可能ではあるが）容易でないため、以下の駆動装置１５０を使用することが前提である。
【００５８】
一方、図２９（ｂ）に示すように、左右一対の駆動装置１５０Ｌ，１５０Ｒを情報処理装置１０に装着して、左右一対の駆駆動装置１５０Ｌ，１５０Ｒにより情報処理装置１０の左右のボタン類を間接的に操作して操作性を向上する。即ち、左右一対の駆動装置１５０Ｌ，１５０Ｒは、ベース部１５１Ｌ，１５１Ｒと駆動部とを備える。ベース部Ｌ，１５１Ｒは、情報処理装置１０の左右両端部に、それぞれ、コントロール領域１３Ｌ及びコントロール領域１３Ｒを完全に覆うように装着自在な左右一対の構成とされている。即ち、左側ベース部１５１Ｌは、情報処理装置１０の左側において左方に張り出す縦長のゲームコントローラの半部形状を有し、例えば、その右端部に、スナップフィットにより情報処理装置１０の左端部に着脱自在に密嵌して装着される嵌合構造を有している。また、右側ベース部１５１Ｒは、情報処理装置１０右側において右方に張り出す縦長のゲームコントローラの半部形状を有し、例えば、その左端部に、スナップフィットにより情報処理装置１０の右端部に着脱自在に密嵌して装着される嵌合構造を有している。即ち、左右一対のベース部１５１Ｌ，１５１Ｒは、それぞれ、人の左右の手で（通常のゲームコントローラを操作するのと同様の態様で）把持自在な略平板ブロック形状または略平板パネル形状をなしている。このように、ベース部１５１Ｌ，１５１Ｒは、それぞれ、情報処理装置１０の左右両端部に嵌合する嵌合部と、嵌合部から張り出すパネル状の操作部とを有するブロック状のパネル部とから構成される。
【００５９】
また、駆動部は、複数のコントロール部１５２，１５３，１５４，１５５、信号伝達部及び導通部からなる。コントロール部は、左側ベース部１５１Ｌに配設されたコントロール部１５２，１５４，１５５と、右側ベース部１５１Ｒに配設されたコントロール部１５３，１５４，１５５とからなる。左側のコントロール部１５２，１５４，１５５は、左側ベース部１５１Ｌの表面において、情報処理装置１０のマルチタッチディスプレイ１２の左側のコントロール領域１３Ｌのボタン類と同一の数及び種類並びに対応する配置態様で配置された導電体からなる（コントロールキー状の）キー部１５２と、ＳＴＡＲＴボタンに対応する導電体からなる（ＳＴＡＲＴボタン状の）ボタン部１５４と、ＬＥＦＴボタンに対応する導電体からなる（ＬＥＦＴボタン状の）ボタン部１５５とを備えている。右側のコントロール部１５３，１５４，１５５は、右側ベース部１５１Ｒの表面において、情報処理装置１０のマルチタッチディスプレイ１２の右側のコントロール領域１３Ｒのボタン類と同一の数及び種類並びに対応する配置態様で配置された導電体からなる（コントロールボタン状の）ボタン部１５３と、ＲＥＳＥＴボタンに対応する導電体からなる（ＲＥＳＥＴボタン状の）ボタン部１５４と、ＲＩＧＨＴボタンに対応する導電体からなる（ＲＩＧＨＴ状の）ボタン部１５５とを備えている。キー部１５２、タン部１５３、ボタン部１５４及びボタン部１５５は、それぞれが、人の指（指先）により個別に接触・押圧自在（コントロールキー・ボタンと同様の操作自在）となっており、上記実施の形態の露出部に対応する部材である。
【００６０】
また、左側ベース部１５１Ｌの信号伝達部は、左側ベース部１５１Ｌの対向面において、情報処理装置１０のマルチタッチディスプレイ１２の左側のコントロール領域１３Ｌのボタン類と同一の数及び種類並びに対応する配置態様でボタン類に対向するよう配置された導電体からなる（ボタン状の）コントロールボタン用信号伝達部（対応する合計６個）を備えている。また、右側ベース部１５１Ｒの信号伝達部は、右側ベース部１５１Ｒの対向面において、情報処理装置１０のマルチタッチディスプレイ１２の右側のコントロール領域１３Ｒのボタン類と同一の数及び種類並びに対応する配置態様でボタン類に対向するよう配置された導電体からなる（ボタン状の）コントロールボタン用信号伝達部（対応する合計８個）を備えている。コントロールボタン用信号伝達部は、それぞれが、ベース部１５１Ｌ，１５１Ｒの情報処理装置１０への装着時に、マルチタッチディスプレイ１２のコントロール領域１３Ｌ，１３Ｒのボタン類にそれぞれ個別に接触するようになっており、上記実施の形態の接触部に対応する部材である。
【００６１】
また、導通部は、図示はしないが、ベース部１５１Ｌ，１５１Ｒのそれぞれの内部に配設されて、前記複数のコントロール部１５２，１５３，１５４，１５５と前記複数の信号伝達部とのうち、対応する対のコントロール部１５２，１５３，１５４，１５５と信号伝達部とを、それぞれ、電気的に接続する導電体からなる。即ち、導通部は、コントロール部１５２，１５３，１５４，１５５と信号伝達部との対の数と同一数が配設される。なお、導通部は、コントロール部１５２，１５３，１５４，１５５から信号伝達部まで形成したプリント配線や、コントロール部１５２，１５３，１５４，１５５と信号伝達部とを導通するリード線等から構成することができる。
【００６２】
そして、駆動装置１５０Ｌ，１５０Ｒは、ベース部１５１Ｌ，１５１Ｒを情報処理装置１０に装着したときに、駆動部の全ての信号伝達部が、それぞれ、情報処理装置１０のマルチタッチディスプレイ１２の対応する全てのボタン類に接触し、使用者が手でベース部１５１Ｌ，１５１Ｒを把持して指を駆動部のコントロール部１５２，１５３，１５４，１５５のうちの所定のコントロール部の１個或いは複数個に同時に接触することにより（即ち、通常のゲームコントローラと同様のキー操作及びボタン操作をすることにより）、当該接触したコントロール部１５２，１５３，１５４，１５５が、前記導通部により導通する対となる信号伝達部を介して、マルチタッチディスプレイ１２の対応するボタン類と電気的に接続する。これにより、対応するボタン類の静電容量が変化して、接触した指からのゲーム用制御信号がボタン類に伝達される。その結果、当該ボタン類に固有のゲーム用処理を情報処理装置１０に実行させることができる。
【００６３】
図３０に示す駆動装置１６０は、図３０（ａ）に示す情報処理装置１０に適用される。この情報処理装置１０は、図２９（ａ）の情報処理装置１０のコントロール領域１３Ｌ，１３Ｒに加え、ゲームコントローラのジョグダイアルと同様の機能を発揮するジョグダイアル部１３Ｍ，１３Ｎをマルチタッチディスプレイ１２に設定配置している。一方、駆動装置１６０は、図２９（ｂ）の駆動装置１５０のベース部１５１Ｌ，１５１Ｒと同様の左右一対のベース部１６１Ｌ，１６１Ｒを備え、情報処理装置１０の左右両側に着脱自在に装着されるようになっている。更に、ベース部１６１Ｌ，１６１Ｒは、装着時に情報処理装置１０のジョグダイアル部１３Ｍ，１３Ｎに対向する位置に、ゲームコントローラのジョグダイアルと同様の構造のジョグダイアル部１６２を配設している。そして、ジョグダイアル部１６２をジョグ操作することにより、ジョグダイアルの先端（下端）がマルチタッチディスプレイのジョグダイアル部のうちの円形の反応領域１３Ｍ内を摺接移動し、その摺接移動奇跡に応じた動作を情報処理装置１０に実行させるようになっている。
【００６４】
上記のように、本発明の駆動装置は、ベース部を把持することで自然と露出部を使用者の指が触れ、接触部まで電気が通電するようになっている。その状態で、駆動装置をマルチタッチディスプレイと重ね合わせると、上記のような所定の処理を情報処理装置が実行する。例えば、駆動装置を重ね合わせたときに、情報処理装置側では所定の複数個のボタンが同時に押されたと感知し、写真、映像、テキスト、音声などのデジタル情報を表示または出力するようになる。ところで、上記実施の形態では、縦４マス横３マスで接触領域としてのボタンを作成しているが、応用例として、ボタンの数を増やす事も可能である。もちろん、その場合に合わせた駆動装置（スタンプ）を制作する必要がある。同時に接触を感知する位置としては、上記の例では、３つ同時に押されるパターンを記述しているが、例えばｉＰｈｏｎｅの場合は５つまで同時にタッチした位置を感知する事ができる。つまり、３×４のマス、タッチは５つまで感知できる事から、１５００パターン以上の組み合わせを作成する事ができる。また、マスを増やす事で、さらにパターンを増やす事ができる。更に、モバイル端末側のアプリケーションでプログラムさえすれば、そのパターン１つに１つの情報を持たせる事ができるので、バーコードの様なものとしても利用できる。また、実施の形態１等の駆動装置は、上記のように、指が触れる部分に電気を通電させる素材（露出部）を配設し、また、下面となる対向面に接触部を配置すると共にその接触部を遮蔽部で遮蔽して、押された位置及び構造を利用者に気づかせなくすると同時に、デザイン的にも美しくしている。
【００６５】
実施の形態１１〜１５
以下、上記実施の形態５，６と同様、基本的には情報処理装置１０を押し当てるタイプ（設置型）の駆動装置を備えた情報処理システムとして、実施の形態１１〜１５に係る情報処理システムについて説明する。
【００６６】
実施の形態１１
［全体構成］
実施の形態１１に係る情報処理システムは、スマートフォン等の携帯情報端末に代表される（上記各実施の形態で説明したものと同様の構成を有する）情報処理装置１０と、情報処理装置１０に所定の動作（コンテンツ出力動作）を行わせるための駆動装置２１０とを備える。即ち、図３１に示すように、駆動装置２１０は、ベース部２１１を備えている。ベース部２１１の厚さ方向一側面はベース表面２１１ａとなっており、ベース表面２１１ａの一側及び他側（図１中では上端部及び下端部）には、ぞれぞれ、表示領域２１２及び表示領域２１３が設けられている。また、ベース部２１１のベース表面２１１ａには、駆動部としての導電パターン部２２０が一体的に設けられている。実施の形態１１の情報処理システムの駆動装置２１０は、屋内外の所定の設置面に固定的に、または、着脱自在に、または移動自在に設置して使用自在となるよう、紙素材（画用紙やステッカー等）や木質素材（板等）等からなる所定のベース部２１１に、所定の導電パターン部２２０を設けたものである。そして、駆動装置２１０は、マルチタッチディスプレイ１２の所定領域内に（２個以上の）複数の接触領域１３Ｘ（１３）が離間配置された情報処理装置１０に適用される。即ち、実施の形態１１に係る情報処理システムは、駆動装置２１０により情報処理装置１０に所定のイベントを発生させて所定の情報処理動作を行わせるものである。
【００６７】
［ベース部］
図３１〜図３２に示すように、前記ベース部２１１は、電気的不導体である絶縁体または誘電体からなる矩形平板状等の所定形状を有する中実体である。即ち、ベース部２１１は、上記実施の形態のベース部１１と同様の電気絶縁材料、例えば、導電性樹脂等の導電性材料を除く通常の合成樹脂やゴム等の絶縁材料から形成することができるが、これ以外にも、（導電性を有しない）一般的な木質材料（木板等）、（導電性繊維を除く非導電性の）一般的な繊維材料、（導電性紙を除く非導電性の）一般的な紙材料等、任意の電気的不導体から形成することができる。また、ベース表面２１２は、ベース部２１１の一側面（本実施の形態のようにベース部２１１が板状の場合はその厚さ方向一側面）を構成する表面からなる。このベース表面２１２は、前記導電パターン部２２０を所定範囲の領域に一体形成して当該導電パターン部２２０を露出させるための面である。典型的には、ベース表面２１２は、ベース部２１１の一側面の中央部や、或いは、その左側または右側における所定範囲に前記導電パターン部２２０を一体形成して露出させる。したがって、ベース表面２２２は、導電パターン部２２０を一体形成して露出できる限りにおいて、任意の形状及び寸法の面とすることができる。例えば、本実施の形態のような矩形状の平面とする以外に、円形状、楕円形状、矩形以外の多角形状、またはそれら以外の不定形状乃至異形状（星型等の任意の外形乃至輪郭を有する形状）とすることもできる。
【００６８】
また、ベース部２１１の表示領域２１２，２１３は、印刷等によってベース表面２１１ａに所望の内容を表示するためのものであり、それぞれ、任意の内容とすることができる。例えば、本実施の形態では、表示領域２１２は、駆動装置２１０の使用目的や使用場所等を示す（一例としての）「ＸＹＺのコーナー」といいう文言を表示し、表示領域２１３は、ベース部２１１のベース表面２１１ａへの前記情報処理装置１０の画面押し当て範囲を説明する（一例としての）文言「上の枠線内に画面を押し当てて下さい！！」を表示している。或いは、ベース部２１１は、表示領域２１２，２１３の内容を抽象的な表示（有意味な文言以外の文字若しくは抽象的文字列、記号、図形、またはそれらの結合）とすることもでき、或いは、表示領域２１２，２１３の一方または全部を省略することもできる。
【００６９】
［導電パターン部］
図３２に示すように、導電パターン部２２０は、導電性インクや導電性塗料等の導電性塗膜材料を使用して、電荷蓄積部２２１、導通部２２２及び接触部２２３を、図示の導電パターンとなるよう、ベース部２１１のベース表面２１１ａの所定範囲の領域に印刷等の塗膜形成技術により一体形成したものである。また、導電パターン部２２０は、実施の形態１の別例として述べた技術（プリント配線技術や導電トレースペンによる導電パターン形成技術）を応用したものであり、ベース部２１１のベース表面２１１ａに所望のパターンの導電パターン部２２０が形成される。なお、導電パターン部２２０形成用の導電性塗膜材料としては、導電性インク等を好適に使用することができるが、これ以外にも、良好な導電性を有してベース部２１１のベース表面２１１ａに塗膜を形成できる材料であれば、任意のものを使用することができる。また、導電パターン部２２０形成用の塗膜形成技術も、導電性塗膜材料として導電性インクを使用した場合はスクリーン印刷やインクジェット印刷等の通常のインク印刷技術を好適に使用することができるが、導電性塗膜材料をベース部２１１のベース表面２１１ａに所望のパターンで塗布して塗膜形成できる限りにおいて、任意の塗膜形成技術を利用することができる。なお、導電性塗膜材料及び塗膜形成技術は、塗膜形成対象（被塗物）であるベース部２１１の材料や材質、表面粗さ等の表面物性（特にベース表面２１１ａの表面物性）等、ベース部２１１に固有の物性に応じて設定することが好ましいが、一般的な紙、布、木板、合成樹脂板等の場合は、導電性インクを使用した印刷技術により塗膜形成することが、製造コスト低減やパターン多様化等の点から好ましい。
【００７０】
なお、印刷技術を使用した塗膜形成の場合、ベース部２１１は、紙や布等の薄肉シート状素材や、木板や合成樹脂板等のある程度の肉厚を有する厚肉シート状素材またはブロック状素材等、各種の印刷用基材により形成することができる。この場合の印刷基材としては、紙基材、布基材、合成樹脂基材等の任意の公知の印刷用の基材を使用することができる。また、この場合の紙基材としては、コート紙、非コート紙、合成紙、樹脂含浸紙、耐水加工紙、絶縁加工紙、伸縮加工紙等の各種紙基材を使用することができるが、精密な印刷パターンを安定して確保することが要求される等の場合は、コート紙、加工紙等の精密印刷可能な基材が好ましく、また、かかる用途でコート紙を使用する場合は、表面平滑度の高いものを使用することが好ましい。更に、この場合の合成樹脂基材としては、ポリエステル、ポリエチレン、ポリプロピレン、セロハン、塩化ビニル、塩化ビニリデン、ポリスチレン、ビニルアルコール、エチレン−ビニルアルコール、ナイロン、ポリイミド、ポリカーボネート等の公知の合成樹脂基材を使用することができる。なお、合成樹脂製の印刷基材としては、透明、半透明または有色透明の合成樹脂基材を使用することもでき、この場合、非透明の合成樹脂基材に比較して、独特の意匠性を付加することができる。
【００７１】
［電荷蓄積部］
図３２に示すように、導電パターン部２２０の静電容量増大部としての電荷蓄積部２２１は、所定の幅寸法の塗膜パターンを、当該パターン幅で矩形枠状（正確には、４つの各コーナー部を所定曲率の湾曲形状とした角丸の矩形枠状）の平面形状となるよう形成したものであり、導電パターン部２２０の全体の外形乃至輪郭を規定するものである。また、電荷蓄積部２２１は、その内周縁が、情報処理装置１０自体（全体形状）の外周縁により規定される角丸矩形状と略同一の角丸矩形状（同一の角丸矩形状、または、それよりコンマミリ単位で若干大きな角丸矩形状）となるよう形成されている。更に、電荷蓄積部２２１は、その塗膜パターン幅の幅寸法の分だけ、その外周縁が、前記内周縁よりも外方に配設されている。ここで、電荷蓄積部２２１の幅寸法（内周縁と外周縁との間の寸法）は、人間の指（特に、親指または人差し指）の指先（腹部分）に対応する寸法となっている。例えば、電荷蓄積部２２１の幅寸法は、約３ｍｍ〜約１０ｍｍの範囲とすることができ、好ましくは、約４ｍｍ〜約９ｍｍの範囲とすることができ、更に好ましくは、約５ｍｍ〜約８ｍｍの範囲とすることができ、更に一層好ましくは、約６ｍｍ〜約７ｍｍの範囲とすることができる。
【００７２】
なお、前記駆動装置２１０のベース部２１１のベース表面２１１ａにおいて、導電パターン部２２０の電荷蓄積部２２１の内周縁により囲まれる面状部分中、情報処理装置１０を電荷蓄積部２２１の内周縁に整合させたときにマルチタッチディスプレイ１２と対向する部分が、上記実施の形態１で述べたマルチタッチディスプレイ１２との対向面（マルチタッチディスプレイ１２の外周円と同一外形の平坦面かららなる対向面）となる。したがって、本実施の形態の駆動装置２１０では、導電パターン部２２０の電荷蓄積部２２１が、前記ベース部２１１のベース表面２１１ａの対向面（情報処理装置１０のマルチタッチディスプレイ１２との接触面）の外周側に、前記情報処理装置１０の外周縁とマルチタッチディスプレイ１２の外周縁との間の間隔に等しい間隔をおいて配置されることになる。
【００７３】
［接触部］
導電パターン部２２０の導通部２２２は、平面視で所定の幅寸法の直線状をなし、接触部２２３は、平面視で所定直径の円形状（正円形状）をなす。このうち、接触部２２３は、情報処理装置１０のマルチタッチディスプレイ１２において指または指相当物の接触により固有のイベントを発生するよう所定の複数の座標位置に接触領域としてのボタン１３Ｘ（即ち、静電容量変化により指または指相当物の接触乃至近接を個別に検知する領域）が配置されている場合において、前記ベース部２１１のベース表面２１１ａの前記対向面（電荷蓄積部２２１に囲まれる前記中央の面部分）において、マルチタッチディスプレイ１２の複数のボタン１３Ｘにそれぞれ対応する（即ち、マルチタッチディスプレイ１２のボタン１３Ｘと鏡面配置となる）所定の位置にそれぞれ配置される。なお、接触部２２３は、図示のように正円形とする以外にも、マルチタッチディスプレイ１２のボタン１３Ｘに接触または近接して、ボタン１３Ｘを静電容量変化により駆動できる形状及び面積であれば、任意の外形（楕円形、三角形、四角形、五角形、六角形、八角形等の多角形、星型等のその他の不定形状）及び任意の面積とすることができる。好ましくは、接触部２２３は、マルチタッチディスプレイ１２で設定したボタン１３の外形乃至輪郭の範囲内でできるだけ大きな面積となるよう形成して、ボタン１３部分での静電結合乃至静電誘導によるボタン１３の確実なイベント駆動を確保するようにする。例えば、接触部２２３を正円形とする場合は、その直径を正方形のボタン１３の幅とほぼ同一または若干小さい寸法（コンマミリ単位またはコンマゼロミリ単位で小さい寸法）とする。なお、図３２の例では、マルチタッチディスプレイ１２の幅方向に隣接する２個のボタン１３Ｘを駆動する場合を想定して、２個の接触部２２３が、導電パターン部２２０の幅方向に若干離間して直列配置されているが、上記実施の形態で述べたように、接触部２２３の配置態様及び配置個数は、マルチタッチディスプレイ１２において同時駆動するボタン１３の配置態様及び配置個数に合致させる。
【００７４】
［導通部］
一方、導通部２２２は、前記電荷蓄積部２２１と接触部２２３とを電気的に接続するものであり、図３２の場合は、２個の接触部２２３相互を導通する導通部２２２と、外側（電荷蓄積部２２１側）の接触部２２３と電荷蓄積部２２１の対応する直線部分とを導通する導通部２２２とが設けられている。即ち、２個の直列配置の接触部２２３に対応して、２本の導通部２２２が、２個の接触部２２３と電荷蓄積部２２１の直線部分とを結ぶよう直列的に設けられている。なお、導通部２２２は、各接触部２２３の電荷を電荷蓄積部２２１に導通する限りにおいて、任意の構成及び配置態様とすることができ、例えば、図３２の場合でも、各接触部２２３を電荷蓄積部２２１の別箇の位置に導通するよう配線することもできる。
【００７５】
上記実施の形態の場合と同様、図３３に示すように、導電パターン２２０の接触部２２３は、情報処理装置１０のマルチタッチディスプレイ１２の接触領域としてのボタン１３の全数（例えば、４行３列＝１２個のボタン１３）より少ない複数（例えば、２個または３個等）となるよう、当該ボタン１３（上記１３Ｘ及び１３Ｙ）の中から選択した（２個以上の）複数のボタン１３Ｘに対応する位置（情報処理装置１０を電荷蓄積部２２１の内周縁に整合させてマルチタッチディスプレイ１２を電荷蓄積部２２１の内側の対向面に整合させたときに、ボタン１３Ｘに対して鏡面配置となる位置）にそれぞれ配置されている。なお、上記導通部２２２の面積は、接触部２２３の面積よりも大幅に小さい面積とし、例えば、接触部２２３の直径の約１／５〜約１／１５の幅（好ましくは、約１／８〜約１／１２の幅、更に好ましくは、約１／１０の幅）で隣接する２個の接触部２２３の間を直線的に延びる直線帯状とする。このように、導通部２２２の幅及び長さで決定される当該導通部２２２の面積を、接触部２２３の面積より相当程度小さくすることにより、各接触部２２３間および接触部２２３と電荷蓄積部２２１とを電気的に接続する場合において、情報処理装置１０のマルチタッチディスプレイ１２が導通部２２２には反応（静電容量変化）せず、接触部２２３にのみ反応するようにする。即ち、上記実施の形態１の別例（コンダクティブペンや導電トレースペン等による）導通用のライン部の場合と同様、導通部２２２の面積（特に幅寸法）は、このようにマルチタッチディスプレイ１２が導通部２２２と接触しても反応しない面積（特に幅寸法）とする。よって、導通部２２２は、各接触部２２３間及び接触部２２３と電荷蓄積部２２１とを電気的に接続する一方で、情報処理装置１０のマルチタッチディスプレイ１２が反応しないものであれば、任意の形状及び寸法とすることができる。
【００７６】
［遮蔽シール］
ベース部２１１のベース表面２１１ａにおいて、前記導電パターン部２２０の電荷蓄積部２２１の内周縁の内側には、前記マルチタッチディスプレイ１２との対向面を完全に内包するよう、かつ、当該電荷蓄積部２２１の内周縁の内側の全面を完全に遮蔽するよう、シート状の遮蔽手段としての遮蔽シール２２５が接着または粘着等によって密着している。遮蔽シール２２５は、通常の粘着シール材料と同様の材料から構成され、それ自体は絶縁体または誘電体である。また、遮蔽シール２２５は、前記電荷蓄積部２２１の内周縁の内側の面と同一面積で同一形状（同一外形乃至同一輪郭）のシート状であり、ベース部２１１のベース表面２１１において電荷蓄積部２２１の内周縁に正確に整合させて接合され、前記導電パターン２２０のうち、前記導通部２２２及び接触部２２３を全て外部から遮蔽すると共に、電荷蓄積部２２１の全体を当該遮蔽シール２２５の外周縁の外側に密接して露出させている。したがって、電荷蓄積部２２１は、ベース部２２１に接合した遮蔽シール２２５の外周縁に密接して、当該遮蔽シール２２５の外周縁から外方に前記所定幅（パターン幅）で設けられることになる。更に、上記実施の形態の遮蔽手段としての遮蔽部と同様、遮蔽シール２２５の厚みは、コンマミリまたはコンマゼロミリ単位であり、マルチタッチディスプレイ１２を遮蔽シール２２５を介して導電パターン２２０の接触部２２３に近接させたときに、接触部２２３によってマルチタッチディスプレイ１２の対応するボタン１３Ｘが確実に駆動されるようになっている。
【００７７】
［電荷蓄積部の電荷移動］
図３３に示すように、駆動装置２１０の導電パターン部２２０において、電荷蓄積部２２１の外周縁の幅Ｗ１が導電パターン部２２０全体の最大幅となり、電荷蓄積部２２１の外周縁の長さＬ１が導電パターン部２２０全体の最大長さとなる。また、電荷蓄積部２２１の内周縁の幅Ｗ２は、前記電荷蓄積部２２１の外周縁の幅Ｗ１から長辺部分の幅ｄ１だけ小さい幅であり、電荷蓄積部２２１の内周縁の長さＬ２は、前記電荷蓄積部２２１の外周縁の長さＬ１から短辺部分の幅ｄ２だけ小さい長さである。（なお、前記幅ｄ１＝ｄ２。）一方、前記電荷蓄積部２２１の内周縁の幅Ｗ２は、情報処理装置１０の幅Ｗ３と同一または若干大きい幅（コンマミリ単位で大きい幅）に設定され、前記電荷蓄積部２２１の内周縁の長さＬ２は、情報処理装置１０の長さＬ３と同一または若干大きい長さ（コンマミリ単位で大きい長さ）に設定されている。
【００７８】
これにより、情報処理装置１０の外周縁を遮蔽シール２２５の外周縁に正確に整合させて、マルチタッチディスプレイ１２をベース部２１１の対向面に押し当てることにより、マルチタッチディスプレイ１２のボタン１３Ｘが導電パターン部２２０の対応する接触部２２３に正確に位置決めして対向及び近接すると共に、マルチタッチディスプレイ１２のいずれの反応面も導電パターン２２０の電荷蓄積部２２１に対向または接触することがなく、電荷蓄積部２２１との接触によるマルチタッチディスプレイ１２の誤動作を確実に防止することができる。更に、使用者が指で（親指と他の指との間で）情報処理装置１０を把持し、マルチタッチディスプレイ１２をベース部２１１の対向面に押し当てたときに、指先の腹の部分が、電荷蓄積部２２１に自然に接触するため、即ち、ベース部２１１の対向面と同一面内または当該対向面と連続する面内に配設される面状の導電パターン部２２０において、使用者の指が自然と接触するような位置に電荷蓄積部２２１が前記所定幅（指の腹からの電荷移動を許容する幅）で配置されている。したがって、電荷蓄積部２２１が、上記実施の形態の露出部と同様、使用者の指と導通し、接触部２２３からの電荷を導通部２２２を介して使用者に移動する。その結果、電荷蓄積部２２１を、上記実施の形態の露出部と同様に機能させ、マルチタッチディスプレイ１２のボタン１３Ｘに対する導電パターン部２２０の対応する接触部２２３による静電容量の変化量を大きく増大することができ、所定のボタン１３Ｘだけを確実に駆動することができる。
【００７９】
［電荷蓄積部の電荷受容・蓄積］
上記のように、電荷蓄積部２２１は、上記実施の形態の露出部と同様の露出部として構成することができ、このように使用者の指を接触させるための露出部として機能させる場合は、電荷蓄積部２２１は、使用者の指先が自然に接触自在な位置に、人の指先の面積以上の面積を有する露出面として構成すれば、上記接触部２２３からの電荷を人体へ移動させることができ、人体を通じてボタン１３Ｘの確実な駆動を行うことができる。一方、電荷蓄積部２２１は、図示のように遮蔽シール２２５の外周側に露出させる場合でも、或いは、図示はしないが（遮蔽シール２２５を電荷蓄積部２２１の外周縁と合致する大きさの角丸矩形状として）電荷蓄積部２２１を遮蔽シール２２５の内側に遮蔽する場合でも、マルチタッチディスプレイ１２の各ボタン１３Ｘの駆動に必要な量の電荷（即ち、ボタン１３Ｘを静電容量変化により駆動するために必要な量の電荷）を、接触部２２３から導通部２２２を介して受容及び蓄積するよう構成されている。即ち、例えば、導電パターン２２０において電荷蓄積部２２１を設けず、接触部２２３（及び複数の接触部２２３間を導通する導通部２２２）のみの構成とした場合、接触部２２３（及び導通部２２２）の合計面積は、それのみでマルチタッチディスプレイ１２のボタン１３Ｘの静電容量を変化させるには大きく不足し、ボタン１３Ｘの駆動が困難になることを本発明者らは発見した。そして、本発明者らは、この点を改善すべく、鋭意の実験及び研究開発を重ねた結果、ボタン１３Ｘを確実に駆動するための構成として、接触部２２３の外側を完全に包囲し、かつ、マルチタッチディスプレイ１２の外側に配置される（接触部２２３に比較して）大面積の電荷蓄積部２２１を追加的に設けて接触部２２３と導通し、ボタン１３Ｘから接触部２２３に伝達される電荷を、導通部２２２を介して電荷蓄積部２２１に受容して蓄積することで、ボタン１３Ｘ部分で大きな静電容量の変化を生起できるようにしている。即ち、この場合、人体を介してボタン１３Ｘ部分の電荷が接地部分に流れることはないが、電荷蓄積部２２１による静電誘導作用等によって、ボタン１３Ｘ部分で十分な量の電荷移動及び静電容量の変化が生起し、ボタン１３Ｘが確実に駆動している、或いは、電荷蓄積部２２１自体が既に蓄積した電荷によって、接触部２２３を介してボタン１３Ｘ部分の静電容量を変化させることでボタン１３Ｘを確実に駆動していると予想される。この場合、電荷蓄積部２２１に使用者の指が接触する必要はないため、上記のように、電荷蓄積部２２１を遮蔽シート２２５の外側に配置する構成とする以外にも、遮蔽シール２２５を電荷蓄積部２２１まで覆う寸法に形成して、遮蔽シール２２５により電荷蓄積部２２１の全体を遮蔽してもよい。ただし、この場合、マルチタッチディスプレイ１２を正確に電荷蓄積部２２１の内周縁の内側に位置決めして配置できるよう、遮蔽シール２２５の外周縁の内側において（当該遮蔽シール２２５の下側の）電荷蓄積部２２１の内周縁に整合する位置に、マルチタッチディスプレイ１２の外周縁を整合配置するための目印を示す枠線（内枠線）を表示形成することが好ましい。
【００８０】
したがって、本実施の形態では、このような電荷蓄積部２２１の大面積を確保するため、電荷蓄積部２２１の形成パターン及びパターン幅ｄ１，ｄ２に着目し、上記のとおり、電荷蓄積部２２１をベース部２２１の対向面（マルチタッチディスプレイ１２との接触面）の所定距離外側に離間配置して当該対向面を包囲する矩形枠状とし、かつ、その幅寸法ｄ１，ｄ２を、約３ｍｍ〜約１０ｍｍの範囲、好ましくは、約４ｍｍ〜約９ｍｍの範囲、更に好ましくは、約５ｍｍ〜約８ｍｍの範囲、更に一層好ましくは、約６ｍｍ〜約７ｍｍの範囲としている。これにより、マルチタッチディスプレイ１２をベース部２２１の対向面内に載置して当接させただけで、即ち、使用者の指を導電パターン２２０の電荷蓄積部２２１に接触させなくても、ボタン１３Ｘ部分で十分な静電容量の変化が発生し、ボタン１３Ｘに所定のイベントを発生させることができる。即ち、電荷蓄積部２２１が、実施の形態５の帯電部９２（または実施の形態６の帯電部としての基部１０１）と同様の機能をも発揮するよう構成されている。ここで、実施の形態５の帯電部９２及び実施の形態６の帯電部（基部１０１）は、駆動装置９０，１００の立体的構成に合わせて、駆動装置９０，１００におけるマルチタッチディスプレイ１２との対向面・接触面である遮蔽部９６，１０５（及びボタン１３Ｘを駆動する接触部９５，１０４）よりも、駆動装置９０，１００の厚さ方向における内部側に配置されて、ボタン１３Ｘから接触部９５，１０４に流れる電荷を、当該ボタン１３Ｘを駆動するのに十分な量で受容及び蓄積し、或いは、帯電部自体が既に蓄積した電荷によって、接触部９５，１０４を介してボタン１３Ｘ部分の静電容量を変化させることで、人体へと電荷を移動させる必要なく（即ち、露出部を必要とすることなく）ボタン１３Ｘを確実に駆動するようになっている。
【００８１】
一方、本実施の形態では、駆動装置２１０においてボタン１３Ｘの駆動部分である導電パターン部２２０の構成要素は、全て、ベース部２１１のベース表面２１１ａにのみ面状に設けられる平面的構成とされ、かつ、導電パターン部２２０の電荷蓄積部２２１が、情報処理装置１０の平面形状に対応する形状、即ち、その内周縁が情報処理装置１０の外周縁に密接または若干（コンマミリ単位で）離間して近接することにより、同一面上または連続面上でマルチタッチディスプレイ１２を所定距離を置いて完全に内包する構成とされる。したがって、実施の形態１１の駆動装置２１０は、ベース部２１１のベース面２１１ａ等、マルチタッチディスプレイ１２の対向面に対応して、（電荷蓄積部２２１が当該対向面を内包するように）ベース部２１１に導電パターン部２２０を平面的に（印刷等によって）形成するだけで、上記実施の形態５または６の駆動装置９０，１００と同様の機能を発揮することができ、製造コストを大幅に低減することができると共に、導電パターン部２２０のパターンを容易に多様化することができる等の特有の作用効果を発揮する。即ち、本実施の形態の電荷蓄積部２２１は、実施の形態５及び６の帯電部と同様、ボタン１３Ｘから接触部２２３に流れる電荷を、当該ボタン１３Ｘを駆動するのに十分な量で受容及び蓄積し、或いは、電荷蓄積部２２１自体が既に蓄積した電荷によって、接触部２２３を介してボタン１３Ｘ部分の静電容量を変化させることで、人体へと電荷を移動させる必要なく（即ち、露出部を必要とすることなく）ボタン１３Ｘを確実に駆動するようになっている。
【００８２】
［作用・効果］
実施の形態１１の駆動装置２１０は、実施の形態５または６の駆動装置９０，１００と同様、使用者が手で情報処理装置１０を把持してその外周縁を遮蔽シール２２５の外周縁に整合させ、当該情報処理装置１０のマルチタッチディスプレイ１２をベース部２２１の対向面（遮蔽シール２２５の表面中央部）に密接配置することにより、複数の接触部２２３が遮蔽シール２２５を介してマルチタッチディスプレイ１２の選択された複数のボタン１３Ｘと静電結合し、ボタン１３Ｘ部分の電荷が接触部２２３から導通部２２２を介して電荷蓄積部２２１に流れる。そして、このとき、使用者の指が電荷蓄積部２２１に接触している場合は、ボタン１３Ｘからの電荷は、電荷蓄積部２２１を介して人体に流れ、ボタン１３Ｘが静電容量変化により駆動して、情報処理装置１０が所定のイベントを発生し、所定の情報処理（典型的には、上記実施の形態で述べたようなコンテンツ表示処理）を実行する。一方、このとき、使用者の指が電荷蓄積部２２１に接触していない場合は、ボタン１３Ｘからの電荷は、接触部２２３から導通部２２２を介して電荷蓄積部２２１に流入し、大面積の当該電荷蓄積部２２３に受容及び蓄積されて、上記電荷が人体に流れる場合と同様、ボタン１３Ｘが静電容量変化により駆動して、情報処理装置１０が所定のイベントを発生し、所定の情報処理を実行する。
【００８３】
実施の形態１２
図３４に示すように、実施の形態１２に係る情報処理システムは、実施の形態１１に係る情報処理システムとほぼ同様の構成であるが、情報処理装置１０のマルチタッチディスプレイ１２のボタン１３を、実施の形態１１の３行４列＝１２個のボタン数の構成（及びそのうちから任意の複数個のボタン１３Ｘを選択する構成）から、４行５列＝２０個のボタン数の構成（及びそのうちから任意の複数個のボタン１３Ｘを選択する構成）とした点が相違する。なお、この情報処理装置１０側の構成変更に対応して、駆動装置２２０の導電パターン部２２０の接触部２２３の配置位置は、当該４行５列＝２０個のボタン１３のうちの任意の複数個のボタン１３Ｘに対応する（上記の鏡面配置となる）位置に設定されている。実施の形態１２に係る情報処理システムも、実施の形態１１に係る情報処理システムと同様に機能し、同様の作用効果を発揮する。
【００８４】
実施の形態１３
図３５に示すように、実施の形態１３に係る情報処理システムは、実施の形態１１に係る情報処理システムとほぼ同様の構成であるが、まず、駆動装置３２０全体を、情報処理装置１０の外形より若干大きな寸法の長方形板状にした点において、実施の形態１１に係る情報処理システムと相違する。詳細には、駆動装置３２０は、上記各実施の形態の導電性材料と同様の導電性材料からなる導電パターン部３２１〜３２３と、導電パターン部３２１の内部を充填する（前記ベース部２１１と同様の板材により形成される）ベース部３２４とを備えている。即ち、導電パターン部３２１〜３２３は、ベース部３２４の外周縁部及び内部領域にそれぞれ配設されるようになっている。具体的には、実施の形態１１の導電パターン部２２０は、ベース部２２１のベース表面２２１ａに平面的に形成される面状のものであるのに対し、実施の形態１３の導電パターン部３２１〜３２３は、電荷蓄積部３２１、導通部３２２及び接触部３２３が、ベース部３２４の厚さ方向全体に延設され、所定の厚み寸法ｈ（ベース部３２４と同一の厚み寸法）を有する立体的構成となっている。即ち、例えば、導電性材料（金属材料等）により導電パターン部３２１〜３２３の全体を一体形成すると共に、当該導電パターン部３２１〜３２３の内部（電荷蓄積部３２１の内周縁３２１ａより内側の部分であって、導電パターン部３２０の厚み寸法ｈの範囲の部分）に合成樹脂材料を充填して充填部３２４を一体形成することで、絶縁体からなる充填部３２４と導電体からなる導電パターン部３２１〜３２３とを一体化して平板状の板状体としている。
【００８５】
前記導電パターン部３２１〜３２３の平面視における寸法及び形状は前記導電パターン２２０と同様であり、電荷蓄積部３２１の内周縁が、情報処理装置１０の外周縁に一致する構成であり、また、電荷蓄積部３２１が前記電荷蓄積部２２１と同様の幅寸法ｄ１，ｄ２を有する角丸矩形枠状となって、情報処理装置１０の外周縁の外側に密接配置されるようになっている。また、本実施の形態では、一例として、マルチタッチディスプレイ１２で設定したボタン１３Ｘに対応して、３個の接触部３２３が、異なる平面位置（座標位置）に配置され、電荷蓄積部３２１は、導通部３２２を介して３個の接触部３２３とそれぞれ導通している。一方、電荷蓄積部３２１の内周縁より内側にあるベース部３２４並びに導通部３２２及び接触部３２３には、前記遮蔽シール２２５と同様の構成の遮蔽シール３２５が貼付されてそれらの表面側の全面を遮蔽している。遮蔽シール３２５は、その外周縁が電荷蓄積部３２１の内周縁と整合する構成（外形状及び寸法）とされている。なお、遮蔽シール３２５は、上記実施の形態１１で述べたように、導電パターン部３２１〜３２３の全体を同時に覆う構成としてもよい。或いは、実施の形態１３では、遮蔽シール３２５を省略し、導電パターン部３２１〜３２３の全体を露出してもよい。（同様に、実施の形態１１において、ベース部２２１から遮蔽シール２２５を省略し、導電パターン部２２０の全体を露出してもよい。）
【００８６】
実施の形態１３に係る駆動装置３２０によれば、導電パターン部３２１〜３２３が所定の厚み寸法ｈを有するため、電荷蓄積部３２１の厚み増加分によって全体的な電荷受容量及び電荷蓄積量をその厚みの分だけ大幅に増加することができる。（接触部３２３及び導通部３２２の厚み増加分によっても付随的に電荷需要量・蓄積量を増加できる。）また、駆動装置３２０が、情報処理装置１０より若干（電荷蓄積部３２１の幅の分だけ）大きな平板状であるため、実施の形態１１のように情報処理装置１０を把持して駆動装置３２０に押し当てる以外に、実施の形態１のように、駆動装置３２０を把持して情報処理装置１０のマルチタッチディスプレイ１２側に押し当てて駆動させることも可能である。
【００８７】
実施の形態１４
図３６に示すように、実施の形態１４に係る情報処理システムの駆動装置３５０は、実施の形態１１に係る駆動装置２１０の導電パターン部２２０を、前記ベース部２１１よりも大きな（約３倍以上の）寸法のベース部３５１のベース表面３５１ａに複数（図示の例では合計３個）並列的に配置している点が相違する。即ち、ベース部３５１は、３個の導電パターン部２２０Ａ，２２０Ｂ，２２０Ｃ（それぞれ、導電パターン部２２０と同様の構成）を縦置きした状態で、その長さ方向に離間して並列的に配置している。なお、各導電パターン部２２０Ａ，２２０Ｂ，２２０Ｃにおいて、電荷蓄積部２２１の内側には、実施の形態１１と同様、遮蔽シール２２５が貼付されている。実施の形態１４に係る情報処理システムも、実施の形態１１に係る情報処理システムと同様に機能し、同様の作用効果を発揮する。更に、実施の形態１４に係る情報処理システムは、単一のベース部３５１に配置した３個の導電パターン部２２０Ａ，２２０Ｂ，２２０Ｃが、それぞれ、異なる接触部２２３の配置パターンを有するため、単一の駆動装置３５０を使用して、３種類の情報処理を情報処理装置に実行させることができる（例えば、３種類の異なるコンテンツを表示させることができる）。
【００８８】
実施の形態１５
図３７〜図３８に示すように、実施の形態１４に係る情報処理システムの駆動装置４２０は、ベース部としての台座４２１と、台座４２１の内部に配設された複数個（図示の例では、３行３列＝９個）の駆動部４３１とを備えている。台座４２１は、情報処理装置１０の外形状及び外形寸法に対応する外形状及び外形寸法を有する矩形板状をなし、台座４２１の表面（図３７中の平面）が、前記ベース部２１１のベース表面２１１ａに対応する台座表面となっている。また、台座４２１は、その厚さ方向に貫通する複数個（図示の例では、３行３列＝９個）の円形孔４２２を形成している。各円形孔４２２は、前記接触部２２３と同様、マルチタッチディスプレイ１２で設定した数のボタン１３（合計で３行３列＝９個となるボタン１３）に対応する位置（鏡面位置）に配置されている。また、円形孔４２２と同一数となる駆動部４３１は、台座４２１の内部において、円形孔４２２に対向する位置にそれぞれ配設されている。更に、駆動部４３１は、例えば、ソレノイドモーターやサーボモーター等により、円柱状の当接部４３２を伸縮乃至出没自在な構成（即ち、ピストン状に駆動自在な構成）であり、当接部４３２が円形孔４２２に正確に対向して整合する位置にそれぞれ配設されている。なお、台座４２１は、前記ベース２２１と同様の絶縁体から形成されている。
【００８９】
各駆動部４３１は、駆動制御回路４４１に接続されている。そして、駆動制御回路４４１の制御によって、任意の組合せの複数の駆動部４３１を駆動して、その当接部４３２を対応する台座４２１の円形孔４２２から出没させる（図３８（ａ）中の矢印方向に往復移動させる）ようになっている。即ち、駆動制御回路４４１により所定の駆動部４３１をオン（ＯＮ）駆動すると、駆動制御回路４４１により所定の駆動部４３１をオフ（ＯＦＦ）駆動すると、当接部４３２が伸張状態から収縮状態へと収縮移動する。なお、当接部４３２の伸張状態では、当接部４３２の先端面（円形の平坦面）４３２ａが、台座４２１の対応する位置の円形孔４２２の周縁部（台座４２１のベース表面４２１ａにおける当該円形孔４２２の周縁部）から若干の寸法だけ（例えば、約０．５ｍｍ〜約１．０ｍｍの寸法だけ）突出すると共に、当接部４３２の収縮状態では、当接部４３２の先端面４３２ａが、台座４２１の円形孔４２２の裏面（ベース表面４２１ａと反対側の面）より若干内部の位置まで没入するようになっている。
【００９０】
一方、駆動部４３０の当接部４３２は、前記導電性材料（金属材料等）から形成され、その先端面（円形の平坦面）４３２ａがマルチタッチディスプレイ１２のボタン１３Ｘに当接したときに、ボタン１３Ｘの電荷を駆動部４３０を介して受容・蓄積し、または、駆動部４３０を介して（及び駆動部４３０から駆動制御回路４４１や全体のハウジング等の接地部へと通じる導線を介して）接地方向へと流し、ボタン１３Ｘを静電容量変化により駆動するようになっている。
【００９１】
これにより、実施の形態１５に係る情報処理システムでは、駆動装置４２０の台座４２１の台座表面４２１ａに情報処理装置１０を整合させてマルチタッチディスプレイを押し当てると共に、駆動制御回路４４１によりマルチタッチディスプレイ１２のボタン１３のうちの（所望のイベント発生用の）所定の組合せのボタン１３Ｘに対応する複数の駆動部４３１をオン駆動して、それらの当接部４３２を台座４２１の円形孔４２２から突出させることにより、当該複数の当接部４３２の先端面４３２ａがマルチタッチディスプレイ１２の所定の組合せのボタン１３Ｘに当接し、当該ボタン１３Ｘの電荷を移動することにより静電容量を変化させて、当該ボタン１３Ｘを駆動することで、所望のイベントを発生させる。
【００９２】
実施の形態１１〜１５の別例
ところで、実施の形態１１〜１５に係る情報処理装置のベース部（２１１等）は、情報処理装置１０のマルチタッチディスプレイ１２を位置的に整合させて押し当てる対向面（導電パターンの電荷蓄積部に内包される面）を有すると共に、導電パターン部（２２０等）を一体的に設けることができるよう、少なくとも、情報処理装置１０の外周縁形状（通常は長方形状）の寸法に対応して、当該外周縁形状の寸法より前記導電パターン部２２０の電荷蓄積部の幅寸法の分だけ大きな寸法のベース表面を有する板状やブロック状等の任意の形状に形成することができる。例えば、実施の形態１１及び１４のように、ベース部２１１，３５１を情報処理装置１０より相当大きな板状またはブロック状とすることもでき、あるいは、実施の形態１２のように、情報処理装置１０より電荷蓄積部３２１の幅の分だけ大きな板状またはブロック状とすることもできる。
【００９３】
また、実施の形態１１〜１５に係る情報処理装置では、電荷蓄積部は、前記電荷蓄積部２２１のようにその全周を通じて完全に同一幅寸法とすることもできるが、一部のみを幅広または幅狭としてもよく、例えば、角部（コーナー部）を他の部分（直線部）よりも若干幅広とすることもできる。更に、電荷蓄積部（２２１等）は、遮蔽シール（２２５等）や上記各実施の形態の遮蔽手段等の各種シート状の（静電容量の変化を妨げない厚み及び材料からなる）遮蔽手段によって完全に遮蔽してもよく、この場合も、接触部（２２３等）が遮蔽手段を通じてボタン１３Ｘと静電結合してボタン１３Ｘを確実に駆動する。更にまた、電荷蓄積部（２２１等）は、上記のように、使用者が手で情報処理装置１０を把持して、そのマルチタッチディスプレイ１２を駆動装置（２１０等）のベース部（２１１等）の対向面に対向して接触（または近接）させたときに、情報処理装置１０を把持する人の指（親指等）の指先の腹が、自然に当該電荷蓄積部（２２１等）に接触する領域乃至範囲（または近接する）に配置されているが、電荷蓄積部をそれ以外の位置、例えば、上記の場合に使用者の掌が自然に触れるベース部２１１の領域乃至範囲に設けることも可能である。
【００９４】
また、電荷蓄積部（２１１等）の内周縁は、情報処理装置１０のマルチタッチディスプレイ１２を完全に内方できる形状及び寸法であれば、任意の形状及び寸法とすることができる。例えば、電荷蓄積部２１１の内周縁は、図３１〜図３２に示すように、マルチタッチディスプレイ１２の外周縁により規定される角丸矩形状と同一の（またはコンマミリ単位で若干大きな）角丸矩形状とする以外に、当該マルチタッチディスプレイ１２の外周縁により規定される角丸矩形状よりも大きな（左右寸法及び上下寸法を大きく設定した）角丸矩形状としてもよい。
【００９５】
また、上記ベース表面（２１１ａ等）を有するベース部（２１１等）の形状は、上記ベース表面（２１１ａ等）を設けることができる限りにおいて、任意の形状とすることができる。例えば、ベース部２１１は、図３１に示すように、矩形平板状として厚さ方向両側面を平坦面とし、その一側面を前記ベース表面２１１とする以外にも、厚さ方向他側面を湾曲面や不定形状の面乃至異形状の面とすることもできる。また、一般的なマルチタッチディスプレイ１２は平坦面であり、また、情報処理装置１０のマルチタッチディスプレイ１２の外側の面も平坦面であるため、ベース部の前記対向面を内包するベース表面も、これに合わせて平坦面とするが、この場合でも、ベース部のベース表面において情報処理装置の平坦面と密接する面部分のみを平坦面とし、それ以外の面は湾曲面等の平坦面以外の面形状としてもよい。一方、情報処理装置のマルチタッチディスプレイ側の面が湾曲面等となる場合は、ベース部のベース表面も、これに対応する湾曲面とする必要がある。
【００９６】
実施の形態１〜１０の発明
実施の形態１〜１０で述べた発明は、以下の情報処理システムに係る発明として把握することができる。即ち、この発明に係る情報処理システムは、人の指または指相当物が接触することにより所定の動作を行うマルチタッチディスプレイを備えた情報処理装置と、当該情報処理装置を駆動するための駆動装置等を備えた情報処理システムである。この駆動装置は、ベース部と、駆動部とを備える。ベース部は、電気絶縁体からなると共に、マルチタッチディスプレイの面形状に対応する面形状の対向面を有する。駆動部は、前記マルチタッチディスプレイにおいて指または指相当物の接触により固有のイベントを発生するよう所定の接触領域が複数配置されている場合において、前記ベース部の対向面において前記マルチタッチディスプレイの複数の接触領域にそれぞれ対応する位置に配置される導電体からなる。後述する実施の形態のように、ベース部は、例えば、把持部、保持部、絶縁部等から構成される。駆動部は、前記ベース部の対向面を前記マルチタッチディスプレイに接近または当接させたときに前記マルチタッチディスプレイの対応する接触領域にそれぞれ（通常は面的に）接触状態または略接触状態（即ち、静電容量の変化を発生することができる距離まで接近した状態）となり、前記情報処理装置に対して当該接触領域に固有のイベントを発生させる。後述する実施の形態のように、駆動部は、例えば、露出部、導通部及び接触部等からなり、その接触部において前記ベース部の対向面から露出する露出面を形成する頭部は、マルチタッチディスプレイの接触領域を駆動可能な面積を有すると共に、同時駆動することになる複数の接触領域の数と同一数の複数の接触部が設けられる。なお、本発明は、静電容量式のマルチタッチディスプレイを備える情報処理装置に適用することが好適であるが、上記構成の駆動装置を利用して駆動できる限りにおいて任意の情報処理装置に適用可能である。また、本発明は、使用者が駆動装置自体においてマルチタッチディスプレイの接触領域に接触する接触部と指とを電気的に導通する部分（例えば露出部の外部露出面）に指を直接的に接触して当該駆動装置を動作させる指接触動作式の駆動装置以外にも、使用者が指を駆動装置に接触させることなく、情報処理装置のマルチタッチディスプレイと駆動装置の対向面とを互いに接触させる（即ち、マルチタッチディスプレイの接触領域と駆動装置の接触部とを互いに接触させる）だけで、駆動装置の内部に設けて接触部と電気的に導通する帯電部分等により、マルチタッチディスプレイの接触領域を駆動する自立動作式の駆動装置としても具体化することができる。
【００９７】
プログラムの発明
また、本発明は、上記各実施の形態の駆動装置や情報処理装置を備えた情報処理システムを使用して、前記マルチタッチディスプレイを備えた情報処理装置に所定の情報処理手順を実行させる情報処理プログラムに適用することもできる。この場合、情報処理プログラムは、接触領域配置手順と、接触領域非表示手順と、コンテンツ表示手順とを備えるコンテンツ表示用の情報処理をコンピュータに実行させるプログラムとして実施することができる。この場合、接触領域配置手順は、情報処理装置のマルチタッチディスプレイの（ソフトウエア的に設けられる多層構造のレイヤーのうちの）第１のレイヤーの複数の所定領域に、それぞれ、前記接触領域としてのボタンやキー等を設定して互いに離間するよう複数配置するよう構成することができる。また、接触領域非表示手順は、前記マルチタッチディスプレイに配置した（第１のレイヤーに配置する場合は当該第１のレイヤーに配置した）前記複数の接触領域の全ての画面表示を外部から視認不能とする。更に、コンテンツ表示手順は、前記マルチタッチディスプレイに配置した複数の接触領域のうち前記選択された複数の接触領域に、前記駆動部の複数の接触部が（通常は同時に或いはほぼ同時に）接触したときに、所定の記憶領域に記憶した複数のコンテンツから、前記選択された複数の接触領域がオンしたときに呼び出されるよう割り当てられた所定のコンテンツを呼び出し、前記マルチタッチディスプレイに表示する。このとき、例えば、マルチタッチディスプレイの接触領域を配置するレイヤーと異なるレイヤー（接触領域を第１のレイヤーに配置する場合は、第１のレイヤーより表層側の階層（上位の階層）である第２のレイヤー等）にコンテンツを表示することができる。
【００９８】
［作用効果］
なお、上記態様に係る情報処理システムによれば、マルチタッチディスプレイでのマルチタッチを簡単かつ確実に行うことができるようにし、特に、小型のマルチタッチディスプレイの場合でも、マルチタッチディスプレイの接触領域であるボタン等に直接接触することなく、マルチタッチディスプレイの所定の複数の接触位置に設けた接触領域に的確かつ複数同時に指を接触したと同一の動作を行わせることができる。また、この情報処理システムを使用した情報処理プラグラムは、例えば、上記コンテンツ表示プログラムとして実施した場合、マルチタッチディスプレイの接触領域であるボタン等に直接接触することなく、マルチタッチディスプレイの所定の複数の接触位置に設けた接触領域に的確かつ複数同時に指を接触したと同一の動作を行わせることができるという特有の効果に起因して、例えば、マルチタッチディスプレイの接触領域としてのボタンの配置数や配置位置を変更すると共に、これに対応して駆動装置の接触部の配置数や配置位置を変更する（接触領域と同一数を鏡面配置とする）ことで、多種多彩な異なるコンテンツを表示することができるようになる。また、このとき、マルチタッチディスプレイのボタン等の接触領域の画面は、接触領域非表示手順により完全に遮蔽されて（或いは完全に透明化されて）外部から視認することができないので、使用者はどのボタンを押したかはわからず、コンテンツ表示動作に予測不可能性及び意外性を出すことができる。特に、この場合、駆動装置にも接触部を外部から完全に遮蔽して視認不能とする遮蔽部を設けることが好ましく、この場合、駆動装置の接触部も完全に遮蔽されて外部から視認することができないので、使用者は、マルチタッチディスプレイのどのボタンを押すことになるかについても全く事前に知ることができず、更に意外性による趣向を大幅に向上することができる。その他、本発明は、コンテンツ表示用のプログラム以外にも、ギター等の楽器演奏用のプログラム、キーボード操作用のプログラム、ゲーム操作用のプログラム等、各種のプログラムを情報処理装置により実行するようにし（即ち、これらのプログラムに対応するボタンやキー等の接触領域をマルチタッチディスプレイに所定数だけ所定の配置態様で設定配置し）、これに対応して駆動部にも対応する数及び配置態様の接触部を設け、かつ、それらの接触部にそれぞれ電気的に導通してそれらの接触部を個別に動作自在な操作点をベース部の表面等に設けることで（即ち、操作点に指を接触することで接触部からマルチタッチディスプレイのボタン等を操作できるようにすることで）、情報処理装置のマルチタッチディスプレイに直接指を接触して操作することなく、駆動装置を介して情報処理装置を間接的に（遠隔操作とも呼べる状態で）操作することができるため、特に小型の情報処理装置（携帯情報端末や携帯通信端末）の場合において情報処理装置のプログラムの操作性を大幅に向上することができる。
【００９９】
実施の形態１１〜１４の発明
上記実施の形態１１〜１４で述べた発明は、以下の情報処理システムに係る発明として把握することができる。即ち、この発明に係る情報処理システムは、情報処理装置と、情報処理装置に所定の動作を行わせるための駆動装置とを備える。駆動装置は、ベース部を備えている。ベース部の一側面はベース表面となっており、ベース部のベース表面には、駆動部としての導電パターン部が一体的に設けられている。ベース部は、電気的不導体からなる。ベース部の一側面のベース表面は、前記導電パターン部を所定範囲の領域に一体形成して当該導電パターン部を露出させるための面である。導電パターン部は、導電性塗膜材料を使用して、電荷蓄積部、導通部及び接触部を、所定の導電パターンとなるよう、ベース部のベース表面の所定範囲の領域に一体形成したものである。導電パターン部の静電容量増大部としての電荷蓄積部は、所定の幅寸法の塗膜パターンを、当該パターン幅で枠状の平面形状となるよう形成したものである。また、電荷蓄積部は、その内周縁が、情報処理装置自体の外周縁により規定される外形状と略同一の形状となるよう形成されている。接触部は、マルチタッチディスプレイの複数のボタンにそれぞれ対応する所定の位置にそれぞれ配置される。導通部は、前記電荷蓄積部と接触部とを電気的に接続するものである。導電パターンの接触部は、情報処理装置のマルチタッチディスプレイのボタンの全数より少ない複数となるよう、当該ボタンの中から選択した複数のボタンに対応する位置にそれぞれ配置されている。使用者が指で情報処理装置を把持し、マルチタッチディスプレイをベース部の対向面に押し当てたときに、指先の腹の部分が、電荷蓄積部に自然に接触するよう、即ち、ベース部の対向面と同一面内または当該対向面と連続する面内に配設される面状の導電パターン部において、使用者の指が自然と接触するような位置に電荷蓄積部が前記所定幅（指の腹からの電荷移動を許容する幅）で配置されている。
【０１００】
実施の形態１６〜１８
以下、上記実施の形態１１〜１４と同様、基本的には平板タイプの駆動装置を備えた情報処理システムとして、実施の形態１６〜１８に係る情報処理システムについて説明する。
【０１０１】
実施の形態１６
図３９に示すように、実施の形態１６に係る情報処理システムは、実施の形態１１に係る情報処理システムとほぼ同様の構成であり、駆動装置２２０とほぼ同様の構成の駆動装置５２０を備えている。一方、駆動装置５２０は、前記電荷蓄積部２２１の内側の対向面に形成する導通部５２２及び複数の接触部５２３を、実施の形態１１の導通部２２２及び接触部２２３のように単純パターン形状とするのではなく、任意の文字、ロゴ、記号、図形、模様等、任意のパターン形状として構成している。即ち、本発明の導通部及び接触部は、電荷蓄積部の内側の対向面に配設される限りにおいて、任意のパターン形状として配設することができる。具体的には、実施の形態１６では、かかるパターン形状の一例として、「ＧＯ」という単語を構成する各文字「Ｇ」及び「Ｏ」を描くように、導通部５２２及び接触部５２３が形成されている。即ち、文字「Ｇ」において、接触部５２３（２個）は、導電体から形成され、情報処理装置１０のマルチタッチディスプレイ１２の任意の複数の接触領域１３Ｘに対応する位置に形成された円形状であり、材料、配置及び形状は実施の形態１１の接触部２２３と同様である。一方、接触部５２３を電荷蓄積部２２１と導通する導通部５２２は、導通部５２２と同様の細線状の導電体からなる３つの線状の導通部５２２ａ，５２２ｂ，５２２ｃから構成される。導通部５２２ａは、一端に１個の接触部５２３を接続した湾曲状乃至円弧状の細線状に形成される。また、導通部５２２ｂは、導通部５２２ａの他端と他の１個の接触部５２３を連結・導通する直線状に形成される。更に、導通部５２２ｃは、導通部５２２ａの他端と電荷蓄積部２２１とを連結・導通する直線状に形成される。これにより、３個の導通部５２２ａ，５２２ｂ，５２２ｃと２個の接触部５２３とにより「Ｇ」の文字が描かれている。
【０１０２】
一方、「Ｏ」の文字において、接触部５３３（１個）は、導電体から形成され、情報処理装置１０のマルチタッチディスプレイ１２の任意の接触領域１３Ｘに対応する位置に形成された円形状であり、材料、配置及び形状は実施の形態１１の接触部２２３と同様である。一方、接触部５３３を電荷蓄積部２２１と導通する導通部５３２は、導通部２２２と同様の細線状の導電体からなり、接触部５３３を電荷蓄積部２２１に連結・導通している。一方、「Ｏ」の文字において接触部５３３以外の線状部分は、接触部５３３の直径と同一幅の円弧線状をなす連結部５３４が、通常のインク（非導電性インク）等の被導電性の塗膜により形成されている。なお、連結部５３４は、接触部５３３をも完全に覆うよう、即ち、「Ｏ」の文字全体を描くよう形成してもよい。これにより、１個の導通部５３２と１個の接触部５３３と１個の連結部５３４とにより「Ｏ」の文字が描かれている。実施の形態１６の駆動装置５２０も、実施の形態１１の駆動装置２２０と同様の作用効果を発揮し、更に、導通部５２２，５３２及び接触部５２３，５３３により（複雑なパターンを含む）任意のパターンを描いて意匠的な効果を増大することができる。したがって、実施の形態１６では、遮蔽シールを省略して、或いは、遮蔽シールを透明体として、導通部５２２，５３２及び接触部５２３，５３３を外部から視認できるようにしてもよい。
【０１０３】
実施の形態１７
図４０に示すように、実施の形態１７の情報処理システムに係る駆動装置５４０は、実施の形態３の設置式（据置式）の駆動装置を、実施の形態１と同様の把持式（スタンプ型）として構成している。詳細には、駆動装置５４０は、絶縁材料からなる絶縁部としてのベース部５４１を、使用者が把持できるよう、情報処理装置１０の外形寸法及び外形状とほぼ同様の外形寸法及び外形状の矩形板状に形成している。ベース部５４１は実施の形態３のベース部４１と同様の構成である。また、ベース部５４１の四方の側面の一側面には、実施の形態３の露出部４２と同様の構成の露出部５４２を導電体から形成して導電露出部を構成している。更に、ベース部５４１の内部には、実施の形態４の帯電部（電荷蓄積部として機能）と同様の構成の平板状の帯電部５４３を、絶縁体乃至誘電体から形成して電荷蓄積部を構成している。更にまた、ベース部の内部には、実施の形態１の絶縁部２５と同様の構成の平板状の絶縁部５４５を、絶縁体から形成している。そして、ベース部５４１の（情報処理装置１０との）対向面において所定の位置（マルチタッチディスプレイ１２の接触領域１３Ｘと対向する位置）には、前記接触部２６，２２３等と同様の構成の導電体からなる複数の接触部５４６を、前記絶縁部５４５に埋設して、接触部５４６の表面が当該絶縁部５４５の表面（即ち、対向面）と面一となるようにしている。接触部５４６は、その裏面が前記帯電部５４３と密接し、帯電部５４３との間で電荷を授受自在となっている。また、接触部５４６は、導電体からなる導通部（図示略）により露出部５４２と導通している。なお、実施の形態４等で述べたように、帯電部５４３との間での電荷授受によって、接触部５４６によってマルチタッチディスプレイ１２の接触領域１３Ｘを確実に駆動できるため、露出部５４２を省略してもよく、この場合、導通部は不要となる。また、帯電部５４３は、絶縁部５４５との裏面と密接する位置に配置されているが、ベース部５４１において更に内部側の位置に絶縁部５４５と離間して配置してもよく、この場合、導通部により接触部５４６と導通し、或いは、接触部５４６を帯電部５４３まで延びる円柱状等の形状として接触部５４６の裏面を帯電部５４３に密接させる。実施の形態１７の駆動装置５４０も、上記各実施の形態の駆動装置と同様の作用効果を発揮する。
【０１０４】
実施の形態１８
図４１に示すように、実施の形態１８の情報処理システムの駆動装置６２０は、実施の形態１３の駆動装置３２０とほぼ同様の構成であるが、電荷蓄積部２２１、導通部２２２及び接触部２２３を、実施の形態１３のような厚みを有する電荷蓄積部３２１、導通部３２２及び接触部３２３とするのではなく、実施の形態１１と同様の導電性インク等による薄膜状に形成している。更に、駆動装置６２０は、実施の形態１３のベース部と同様の絶縁材料により、情報処理装置１０の外形寸法と同様の外形寸法の平板状をなすベース部６２１を形成し、その四方の側面に、前記電荷蓄積部２２１と連続して導通する導電体かなる薄膜状の露出部６２２を塗布形成している。これにより、使用者が駆動装置６２０を把持したときに、指がベース部６２１の四方の側面の露出部６２２に接触するようにしている。実施の形態１８の駆動装置６２０も、上記実施の形態１３の駆動装置３２０と同様の作用効果を発揮する。
【０１０５】
本発明の骨子
本発明（特に、上記実施の形態４，５，１１〜１４，１６〜１８に対応する発明）は、以下の骨子（課題を解決する手段に相当する構成）を備えるものとして把握することができる。
【０１０６】
まず、本発明は、人の指または指相当物が接触することにより所定の動作を行う静電容量方式のマルチタッチディスプレイを備えた情報処理装置に使用され、当該情報処理装置のマルチタッチディスプレイに接触して、当該情報処理装置に対して固有のイベントを発生させる情報処理装置用の駆動装置として構成される。また、駆動装置は、前記情報処理装置として、前記マルチタッチディスプレイにおける異なる座標位置に、前記指又は指相当物の接触を独立して検知自在な大きさの面積を有する接触領域を、所定の面積の設定領域の範囲内に、所定の配置態様で、当該情報処理装置が同時に検知可能な最大個数以上の所定の複数個となるよう区画して設定配置する機能を実現する接触領域設定手段と、前記接触領域設定手段により前記マルチタッチディスプレイに設定した全ての前記接触領域のうち、前記情報処理装置が同時に検知可能な最大個数以下の数の範囲内で、１個以上の前記接触領域を組合せて複数種類の接触領域の組合せパターンを設定し、当該接触領域の組合せパターンごとに、それぞれ、別箇の情報処理を前記情報処理装置に実行させるための個別のイベントを割り当てる機能を実現するイベント割当手段とを備える情報処理装置に使用される。そして、駆動装置のベース部は、前記情報処理装置のマルチタッチディスプレイの前記設定領域と同一の外形で、かつ、同一の面積を有する連続面（連続する平坦面または湾曲面）である対向面を有する電気的絶縁体から構成される。
【０１０７】
また、接触部は、前記ベース部の対向面において、前記マルチタッチディスプレイの設定領域を当該対向面に整合させて配置したときに、前記マルチタッチディスプレイの所定の組合せパターンのそれぞれの接触領域に対向する位置に配設される（当該組合せパターンの接触領域と同一個数で鏡面配置態様の）導電体からなり、前記ベース部の対向面を前記マルチタッチディスプレイに当接または略当接（完全に当接はしないが静電容量を変化させる距離まで近接した状態、例えば、遮蔽シールを介して近接した状態をいう）させたときに前記マルチタッチディスプレイの対応する接触領域に、それぞれ、表面の全面（下面乃至対向面と同一平面上若しくは接触部が厚みを有する場合はその厚みを置いた平行な平面上にある表面）が接触状態または略接触状態（完全に当接はしないが静電容量を変化させる距離まで近接した状態、例えば、遮蔽シールを介して近接した状態をいう）となるよう構成さている。更に、電荷蓄積部は、前記ベース部において（当該ベース部の絶縁材料を間に挟んで）前記接触部と離間した部位に（接触部と略平行となるよう、接触部の対向面と異なる平面であるベース部の内部側の平面に、または、接触部の対向面と同一平面であるベース部の表面上に）配設され、前記接触部の表面の面積の合計面積よりも大きな表面積を有するよう構成されている。更にまた、導通部は、前記電荷蓄積部と前記接触部とを導通するよう構成されている。
【０１０８】
前記各接触部は、前記表面の面積が、前記マルチタッチディスプレイの対応する接触領域の面積の範囲内で、当該接触領域の最小検知面積以上の面積となるように形成されている。即ち、接地状態の指や指相当物が接触状態または略接触状態となったときに当該接触領域を静電容量結合により駆動する（即ち、接触領域の静電容量変化により駆動する）のに必要な最小単位の面積以上の面積となるように形成され、また、非接地状態の指相当物である接触部の場合は、当該接触部が接触状態または略接触状態となったときに、導通部を介して電荷蓄積部に電荷を移動させることによって、当該接触領域を静電容量結合により駆動するのに必要な最小単位の面積以上の面積となるよう形成されている。また、前記導通部は、自身（それ自体の静電容量）による前記マルチタッチディスプレイの接触領域との静電容量結合によって当該接触領域を駆動しない態様で前記ベース部に設けられ、（即ち、ベース部の内部に帯電部または電荷蓄積部を配設する場合には、マルチタッチディスプレイの設定領域に対して対向面を接触または略接触させたときでも常に非接触状態となるように、ベース部の内部に埋設した態様で配設されている。または、ベース部の表面（対向面と同一面側）に電荷蓄積部を配設する場合は、マルチタッチディスプレイの設定領域に対して対向面を接触または略接触させたときに、接触領域と接触状態若しくは略接触状態となる場合は、その接触面積が接触領域の最小検知面積未満の面積となるよう、即ち、前記接触部を前記マルチタッチディスプレイの接触領域と接触状態または略接触状態としたときに、その接触部に隣接する導通部の表面（マルチタッチディスプレイとの接触面）の面積または当該接触領域との対向部分の表面の面積が、前記接触領域の最小検知面積未満の面積となるように形成されている。
【０１０９】
前記接触部は、自身の対向表面（接触領域と対向する面）の面積だけでは、前記マルチタッチディスプレイの接触領域と接触状態または略接触状態となったときに、当該接触領域の静電容量を変化させるために必要な量の電荷を移動させることはできない。即ち、接触部自身の前記対向表面の面積は、接触領域の面積の範囲内であるため、そのような小面積では、接触領域の電荷を受容及び蓄積するために必要な最小面積よりも大幅に小さい面積（面積不足）となり、当該接触領域に静電容量の変化を生起させるに十分な量の電荷を受容または蓄積して移動させることはできない。換言すれば、各接触部の静電容量は非常に小さく、接触部単体では、接触領域を駆動するために必要な量の静電容量変化を生起することはできない。したがって、接触部に導通部を介して大面積の電荷蓄積部を電気的に接続し、当該電荷蓄積部により全体としての静電容量を大幅に増大している。即ち、指相当物としての（例えば平板状の）導体の対向表面（接触領域と対向する面）が、当該導体の非接地状態において、マルチタッチディスプレイの接触領域に接触状態または略接触状態となったときに、当該接触領域の駆動のための静電容量変化に必要な量の電荷を受容して蓄積できる最小の面積以上の面積を有していれば、当該接触領域を駆動してオンすることができる。したがって、実施の形態１１のように、電荷蓄積部をベース部において情報処理装置と対向するベース表面に設ける場合は、電荷蓄積部におけるベース部の対向面側の面である対向表面（マルチタッチディスプレイまたは情報処理装置と対向する面）の面積は、少なくとも、接触部がマルチタッチディスプレイの接触領域に接触状態または略接触状態となったときに、当該接触領域の駆動のための静電容量変化に必要な最低量の電荷を受容して蓄積できる面積（便宜上、本願書類中では「駆動用最小面積」という。）である必要がある。正確には、接触部の前記対向表面も小面積ではあるものの一定の面積を有するため、電荷蓄積部の前記対向表面は、かかる駆動用最小面積から接触部の表面の面積を減算した面積以上の面積を有すればよい。なお、この場合、導電体からなる電荷蓄積部は、ベース部において接触部を設ける面（対向面）と同一側の面で、当該対向面と同一平面上に平坦状に延びる所定形状（枠状）の面状態乃至層状体となるが、導電体からなる電荷蓄積部は他の構成とすることもできる。
【０１１０】
例えば、電荷蓄積部は、導電体から面状体または層状体として構成する場合でも、ベース部において接触部を設ける面と異なる平面上に設けてもよい。この場合、電荷蓄積部は、例えば、ベース部の内部において対向面と平行となる平面上）に埋設して設けた平面状体または平板層状体として構成してもよく、或いは、ベース部の内部において対向面と９０度以外の角度で交差する平面上に埋設して設けた平面状体または平板層状体として構成してもよく、或いは、ベース部の内部において対向面と９０度の角度で交差する（即ち、直交する）平面上に埋設して設けた平面状体または平板層状体として構成してもよく、或いは、これらの平面状体または平板層状体を組み合せた（複数の平面に延びる平面状体または平板層状体からなる）立体的平板状の構成とすることもできる。更に、これらいずれの場合においても、実施の形態１等の露出部（２２等）と同様、電荷蓄積部に導通する導体からなる露出部をベース部の外表面に設けてもよいが、上記のとおり、露出部を設けない場合でも、電荷蓄積部単体で、マルチタッチディスプレイの接触領域を確実に駆動することができる。いずれにしても、これらの場合、電荷蓄積部は、絶縁体からなるベース部の内部に埋設され、外部から電気的に絶縁され、導通部を介した接触部との導通により、外部の電荷（接触領域の電荷）を移動自在となる。そして、これらの場合、電荷蓄積部は、その厚さ方向一側の表面が、前記駆動用最小面積以上の面積を有するよう構成すればよい。
【０１１１】
ここで、実施の形態１１〜１４，１６，１８の電荷蓄積部（２２１等）は、情報処理装置１０をベース部（２１０等）に当接したときに、情報処理装置１０の外周縁から露出して、使用者の指が自然と接触する部位に配設されており、この意味で、実施の形態１等の導電体からなる露出部と同様の機能をも発揮する（即ち、使用者の指を介した接地による電荷移動機能を発揮する）。しかし、実施の形態１１〜１４，１６，１８の電荷蓄積部（２２１等）は、理論上は、絶縁体からなるシール部材乃至遮蔽部材等により、完全に外部との電気的絶縁状態及び静電結合遮断状態を維持して配設することも可能であり、この場合、露出部としての機能を焼失させることで、電荷蓄積部のみの機能を発揮させることもでき、この場合でも、上記のとおり、マルチタッチディスプレイの接触領域の確実な駆動を行うことができる。
【０１１２】
なお、電荷蓄積部は、実施の形態１１等のように、駆動装置全体を平板状の構成とした平板タイプの駆動装置の場合は、平板状のベース部のベース表面上、即ち、ベース部の対向面と同一平面上において、前記駆動用最小面積以上の対向表面面積を有する面状または層状となるよう設けられる。
【０１１３】
また、ベース部のベース表面や対向表面は、マルチタッチディスプレイを湾曲面とした特殊な情報処理装置の場合は、その湾曲面に対応する（同一湾曲率で対称的な湾曲面となる）ベース表面及び対向表面を備える構成とするため、ベース表面に設ける電荷蓄積部も、対応する湾曲面状の構成となる。
【０１１４】
同様に、上記のように、電荷蓄積部をベース部の内部に設ける場合も、任意の湾曲状の面状態または層状体の構成とすることもできる。
【０１１５】
一方、実施の形態４，５のように、ベース部の内部に設けられる平板状の帯電部は、電荷蓄積部と同様の機能を発揮し、本発明の電荷蓄積部を構成する。即ち、実施の形態１１等の導電体からなる電荷蓄積部は、接触部がマルチタッチディスプレイの接触領域と接触状態または略接触状態となったときに、当該摂食領域からの電荷を接触部から導通部を介して受容・蓄積することで、接触領域の静電容量変化を生起せしめ、接触領域を駆動する。（この電荷移動は、静電誘導による電荷移動と考えることができる。）これに対し、実施の形態４等の誘電体からなる帯電部は、接触部がマルチタッチディスプレイの接触領域と接触状態または略接触状態となったときに、自らが予め帯電して蓄積した電荷を、導通部から接触部を介して接触領域に移動することで、接触領域の静電容量変化を生起せしめ、接触領域を駆動する。或いは、帯電部は、帯電して電荷を蓄積していない場合でも、誘電分極による電荷移動により、電荷を、導通部から接触部を介して接触領域に移動することで、接触領域の静電容量変化を生起せしめ、接触領域を駆動すると考えることもできる。
本発明の電荷蓄積部によるマルチタッチディスプレイの接触領域の駆動原理（電荷移動原理）は上記のように予想することができるが、いずれにしても、本発明者は、かかる帯電部により、露出部を設けて使用者の指と接触部を導通（即ち、接触部を人体を介して接地）しない場合でも、マルチタッチディスプレイの接触領域を確実に安定して駆動できることを確認している。また、導電体からなる電荷蓄積部の場合も、ベース部に露出部（使用者の指と接触する部分）を設けて使用者の指と接触部を導通（即ち、接触部を人体を介して接地）しない場合でも、マルチタッチディスプレイの接触領域を確実に安定して駆動できることを確認している。
【０１１６】
更に、本発明のその他の実施の形態１等においても、導電体からなる平板状の導通部（２３等）を、実施の形態１１，１７の電荷蓄積部と同様の電荷蓄積部として機能させ、電荷蓄積部として構成することもできる。この場合、実施の形態１等では、導電体からなる平板状の導通部の周囲（特に、接触部と反対側の面）に絶縁体乃至誘電体からなるベース部の素材が充填されるため、当該素材との誘電効果等により、導電体からなる電荷蓄積部が、十分な量の電荷移動を確保する。同様に、絶縁体乃至誘電体からなる保持部（２４等）や絶縁部（２５等）を、実施の形態４，５，１７の帯電部からなる電荷蓄積部と同様の帯電部として機能させ、帯電部からなる電荷蓄積部として構成することもできる。この場合、実施の形態１等では、絶縁体乃至誘電体からなる平板状の保持部または絶縁部の周囲（特に、厚さ方向一側面、絶縁部の場合は接触部と反対側の面）に導電体素材からなる導通部が存在するため、当該素材との誘電効果等により、誘電体からなる電荷蓄積部が、十分な量の電荷移動を確保する。
【０１１７】
前記電荷蓄積部は、その厚さ方向一側の表面の面積が、前記接触部が前記マルチタッチディスプレイの接触領域に接触状態または略接触状態となったときに、当該接触領域の駆動のための静電容量変化に必要な最低量の電荷を受容して蓄積できる面積である駆動用最小面積以上の面積となるよう（そのような形状及び構成で）、前記ベース部に配設されるよう構成されている。
【０１１８】
本発明のその他の態様
本発明は、以下の態様の発明として把握することもできる。
【０１１９】
［第１の態様の発明］
人の指または指相当物が接触することにより所定の動作を行うマルチタッチディスプレイを備えた情報処理装置用駆動装置であって、電気絶縁体からなると共に、マルチタッチディスプレイの面形状に対応する面形状の対向面を有するベース部と、前記マルチタッチディスプレイにおいて指または指相当物の接触により固有のイベントを発生するよう所定の接触領域が複数配置されている場合において、前記ベース部の対向面において前記マルチタッチディスプレイの複数の接触領域にそれぞれ対応する位置に配置される導電体からなり、前記ベース部の対向面を前記マルチタッチディスプレイに接近または当接させたときに前記マルチタッチディスプレイの対応する接触領域にそれぞれ接触状態または略接触状態となり、前記情報処理装置に対して当該接触領域に固有のイベントを発生させる複数の駆動部とを備えることを特徴とする情報処理装置用駆動装置。
【０１２０】
［第２の態様の発明］
前記第１の態様の発明において、更に、前記複数の接触部の全てを完全に遮蔽する遮蔽部を前記ベース部の対向面に配設し、前記複数の接触部の全てを外部から視認不能としたことを特徴とする情報処理装置用駆動装置。この駆動装置は、把持型・設置型の両タイプの駆動装置として実現可能であり、接触部を遮蔽する遮蔽部を備える構成となる。
【０１２１】
［第３の態様の発明］
前記第１または第２の態様の発明において、前記マルチタッチディスプレイの接触領域が、当該マルチタッチディスプレイの所定領域内に離間配置された複数の接触領域からなる情報処理装置に適用される情報処理装置であって、前記ベース部は、人の手で把持自在なブロック形状をなし、前記駆動部は、前記ベース部の対向面以外の面に露出する所定面積の露出面を有する導電体からなる露出部と、前記ベース部の内部に配設されて前記露出部と電気的に導通する導電体からなる導通部と、前記ベース部の対向面に配設されて前記導通部と電気的に導通する導電体からなり、前記マルチタッチディスプレイの前記接触領域の全数より少ない複数となるよう当該接触領域の中から選択した複数の接触領域に対応する位置に配置された複数の接触部とを含み、使用者が手で前記ベース部を把持して指を前記駆動部の露出部に載置することにより、前記複数の接触部が前記マルチタッチディスプレイの前記選択された複数の接触領域に接触し、前記使用者の指と前記マルチタッチディスプレイの前記選択した複数の接触領域とが、前記露出部及び／または導通部を介して電気的に接続するようにしたことを特徴とする情報処理装置用駆動装置。この駆動装置は、把持型の駆動装置として実現可能であり、接触部から導通部を経て露出部から使用者の指へと電荷を移動する経路を形成する。
【０１２２】
［第４の態様の発明］
前記第１または第２の態様の発明において、前記マルチタッチディスプレイの接触領域が、当該マルチタッチディスプレイの所定領域内に離間配置された複数の接触領域からなる情報処理装置に適用され、前記ベース部は、屋内外の設置物に固定されるブロック形状をなし、前記駆動部は、前記ベース部の対向面以外の面に露出する所定面積の露出面を有する導電体からなる露出部と、前記ベース部の内部に配設されて前記露出部と電気的に導通する導電体からなる導通部と、前記ベース部の対向面に配設されて前記導通部と電気的に導通する導電体からなり、前記マルチタッチディスプレイの前記接触領域の全数より少ない複数となるよう当該接触領域の中から選択した複数の接触領域に対応する位置に配置された複数の接触部とを含み、使用者が手で前記情報処理装置を把持して当該情報処理装置のマルチタッチディスプレイを前記ベース部の対向面に当接配置し、指を前記駆動部の露出部に載置することにより、前記複数の接触部が前記マルチタッチディスプレイの前記選択された複数の接触領域に接触し、前記使用者の指と前記マルチタッチディスプレイの前記選択した複数の接触領域とが、前記露出部及び導通部を介して電気的に接続するようにしたことを特徴とする情報処理装置用駆動装置。この駆動装置は、設置型の駆動装置として実現可能である。
【０１２３】
［第５の態様の発明］
前記第１または第２の態様の発明において、前記マルチタッチディスプレイの接触領域が、当該マルチタッチディスプレイの所定領域内に離間配置された複数の接触領域からなる情報処理装置に適用され、前記ベース部は、屋内外の設置面に載置されるブロック形状をなすと共に、更に、帯電した誘電体からなる帯電部を含み、前記駆動部は、導電体からなり、前記マルチタッチディスプレイの前記接触領域の全数より少ない複数となるよう当該接触領域の中から選択した複数の接触領域に対応する位置に配置された複数の接触部と、前記帯電部と前記接触部とを電気的に接続する導通部とを含み、使用者が手で前記情報処理装置を把持して当該情報処理装置のマルチタッチディスプレイを前記ベース部の対向面に当接配置することにより、前記複数の接触部が前記マルチタッチディスプレイの前記選択された複数の接触領域に接触し、前記帯電部と前記マルチタッチディスプレイの前記選択した複数の接触領域とが、前記導通部を介して電気的に接続するようにしたことを特徴とする情報処理装置用駆動装置。この駆動装置は、設置型の駆動装置として実現可能である。
【０１２４】
［第６の態様の発明］
前記第３乃至５のいずれかの情報処理装置用駆動装置を使用して、前記マルチタッチディスプレイを備えた情報処理装置に所定の情報処理手順を実行させる情報処理プログラムであって、情報処理装置のマルチタッチディスプレイの第１のレイヤーの複数の所定領域に、それぞれ、前記接触領域を設定して互いに離間するよう複数配置する接触領域配置手順と、前記マルチタッチディスプレイに配置した前記複数の接触領域の全ての画面表示を外部から視認不能とする接触領域非表示手順と、前記マルチタッチディスプレイに配置した複数の接触領域のうち前記選択された複数の接触領域に、前記駆動部の複数の接触部が接触したときに、所定の記憶領域に記憶した複数のコンテンツから、前記選択された複数の接触領域がオンしたときに呼び出されるよう割り当てられた所定のコンテンツを呼び出し、前記マルチタッチディスプレイに表示するコンテンツ表示手順とを前記情報処理装置に実行させる情報処理プログラム。この駆動装置は、把持型及び設置型のいずれの駆動装置としても実現可能である。
【０１２５】
［第７の態様の発明］
前記第１または第２の態様の発明において、前記マルチタッチディスプレイの接触領域が、当該マルチタッチディスプレイの所定の領域内に離間配置された複数の接触領域からなると共に、前記接触領域が、ゲームコントローラのコントロールキー及び／またはコントロールボタンとして機能するよう設定されて、当該コントロールキー及び／またはコントロールボタンのうちの所定のコントロールキー及び／またはコントロールボタンに接触することにより、接触したコントロールキー及び／またはコントロールボタンに応じた固有の内容のゲーム用処理を実行する情報処理装置に適用され、前記ベース部は、前記情報処理端末に装着自在とされると共に、人の手で把持自在な略平板ブロック形状または略平板パネル形状をなし、前記駆動部は、前記ベース部の裏面側となる対向面と反対側の面である前記ベース部の表面において、前記情報処理装置のマルチタッチディスプレイのコントロールキー及び／またはコントロールボタンと同一の数及び種類並びに対応する配置態様で配置された導電体からなり、それぞれを人の指により個別に接触自在とした、前記露出部としての複数のコントロール部と、前記ベース部の対向面において、前記情報処理装置のマルチタッチディスプレイのコントロールキー及び／またはコントロールボタンと同一の数及び種類並びに同一の配置態様で配置された導電体からなり、それぞれが前記情報処理装置のマルチタッチディスプレイのコントロールキー及び／またはコントロールボタンに個別に接触自在とされた、前記接触部としての複数の信号伝達部と、前記複数のコントロール部と前記複数の信号伝達部とのうち、対応する対のコントロール部と信号伝達部とを、それぞれ、電気的に接続する複数の導通部とを含み、前記ベース部を前記情報処理装置に装着したときに、前記駆動部の信号伝達部が、それぞれ、前記情報処理装置のマルチタッチディスプレイの対応するコントロールキー及び／またはコントロールボタンに接触し、使用者が手で前記ベース部を把持して指を前記駆動部のコントロール部のうちの所定のコントロール部に接触することにより、当該接触したコントロール部が、前記導通部により導通する対となる前記信号伝達部を介して、前記マルチタッチディスプレイの対応するコントロールキー及び／またはコントロールボタンと電気的に接続し、当該コントロールキー及び／またはコントロールボタンに固有のゲーム用処理を前記情報処理装置に実行させるようにしたことを特徴とする情報処理装置用駆動装置。
【産業上の利用可能性】
【０１２６】
本発明は、映画館、駅、ショッピングセンターなど各店にスタンプを置き、自分のモバイル端末のマルチタッチディスプレイに本考案を重ね合わせる事で、その店舗の情報を呼び出す事ができる任意の駆動装置に適用することができる。また、普及率などの問題でマルチタッチディスプレイの付いたモバイル端末をすべての人が持っているとは限らないため、博物館や美術館などでは、モバイル端末を貸し出し、展示物の前に本発明の駆動装置を配置して、情報を得てもらうなどの利用方法も可能である。更に、同様の利用方法により、スタンプラリーのゲームとして利用する事もできる。また、本発明は、マルチタッチディスプレイを備えるコンピュータとしての情報処理装置である限り、通常の通話機能以外に情報端末機能を備えた携帯電話、ＰＤＡ等の情報端末装置以外にも、通常のＰＣやその他の任意の情報処理装置に適用可能である。
【符号の説明】
【０１２７】
１０：情報処理装置、１２：マルチタッチディスプレイ
２０：駆動装置、３０：駆動装置、４０：駆動装置、９０：駆動装置
１００：駆動装置、１１０：駆動装置、１２０：駆動装置、１３０：駆動装置
１４０：駆動装置、１５０：駆動装置、１６０：駆動装置
２１０：駆動装置、３２０：駆動装置、３５０：駆動装置、４２０：駆動装置
５２０：駆動装置、５４０：駆動装置、６２０：駆動装置
【図１】
0005577202.tif 000002
【図２】
0005577202.tif 000003
【図３】
0005577202.tif 000004
【図４】
0005577202.tif 000005
【図５】
0005577202.tif 000006
【図６】
0005577202.tif 000007
【図７】
0005577202.tif 000008
【図８】
0005577202.tif 000009
【図９】
0005577202.tif 000010
【図１０】
0005577202.tif 000011
【図１１】
0005577202.tif 000012
【図１２】
0005577202.tif 000013
【図１３】
0005577202.tif 000014
【図１４】
0005577202.tif 000015
【図１５】
0005577202.tif 000016
【図１６】
0005577202.tif 000017
【図１７】
0005577202.tif 000018
【図１８】
0005577202.tif 000019
【図１９】
0005577202.tif 000020
【図２０】
0005577202.tif 000021
【図２１】
0005577202.tif 000022
【図２２】
0005577202.tif 000023
【図２３】
0005577202.tif 000024
【図２４】
0005577202.tif 000025
【図２５】
0005577202.tif 000026
【図２６】
0005577202.tif 000027
【図２７】
0005577202.tif 000028
【図２８】
0005577202.tif 000029
【図２９】
0005577202.tif 000030
【図３０】
0005577202.tif 000031
【図３１】
0005577202.tif 000032
【図３２】
0005577202.tif 000033
【図３３】
0005577202.tif 000034
【図３４】
0005577202.tif 000035
【図３５】
0005577202.tif 000036
【図３６】
0005577202.tif 000037
【図３７】
0005577202.tif 000038
【図３８】
0005577202.tif 000039
【図３９】
0005577202.tif 000040
【図４０】
0005577202.tif 000041
【図４１】
0005577202.tif 000042